(57)【要約】界面活性剤系と、封入体と、カチオン性付着補助ポリマーとを含む液体洗剤組成物であって、この洗剤組成物は、１０〜５０重量％の界面活性剤系を含み、この界面活性剤系は、１：１〜４．５：１の重量比で存在するアニオン性界面活性剤と非イオン性界面活性剤とを含み、このアニオン性界面活性剤は、１：１〜２０：１の重量比で、アニオン性サルフェート界面活性剤とアニオン性スルホネート界面活性剤とを含み、この洗剤組成物は、０．１％〜５重量％の、コア及び壁を備える封入剤を含み、このコアは、有益剤を含み、このカチオン性付着補助ポリマーは、５〜２００キロダルトンの重量平均分子量を有する非多糖類ポリマーであり、この液体洗剤組成物は、０．３％以下のシリコーンを含む。布地を処理する方法であって、布地を、当該洗剤組成物と接触させる、方法。
2019515085.tif 000002
【特許請求の範囲】
【請求項１】
界面活性剤系と、封入体と、カチオン性付着補助ポリマーとを含む液体洗剤組成物であって、
前記洗剤組成物は、前記洗剤組成物の１０重量％〜５０重量％の前記界面活性剤系を含み、
前記界面活性剤系は、１：１〜４．５：１の重量比で存在するアニオン性界面活性剤と非イオン性界面活性剤とを含み、
前記アニオン性界面活性剤は、１：１〜２０：１の重量比で、アニオン性サルフェート界面活性剤とアニオン性スルホネート界面活性剤とを含み、
前記洗剤組成物は、前記洗剤組成物の０．１重量％〜５重量％の前記封入体を含み、
前記封入体は、コアと、該コアを少なくとも部分的に囲む壁とを含み、前記コアは、有益剤を含み、
前記カチオン性付着補助ポリマーは、非多糖類ポリマーであり、かつ５〜２００キロダルトンの重量平均分子量により特徴付けられ、
前記液体洗剤組成物は、任意で、０．３％以下のシリコーンを含む、液体洗剤組成物。
【請求項２】
前記界面活性剤系が、２：１〜４．５：１、好ましくは２：１〜３：１の重量比で存在するアニオン性界面活性剤と非イオン性界面活性剤とを含む、請求項１に記載の液体洗剤組成物。
【請求項３】
前記アニオン性界面活性剤が、１：１〜１０：１、好ましくは１：１〜５：１、より好ましくは２．５：１の重量比で存在する前記アニオン性サルフェート界面活性剤と前記アニオン性スルホネート界面活性剤とを含む、請求項１又は２に記載の液体洗剤組成物。
【請求項４】
前記洗剤組成物が、前記洗剤組成物の、０．０１重量％から、２重量％まで、好ましくは１．５重量％まで、好ましくは１重量％まで、好ましくは０．７５重量％まで、好ましくは０．５重量％まで、好ましくは０．３重量％まで、より好ましくは０．０５重量％〜０．２５重量％の前記カチオン性付着補助ポリマーを含む、請求項１〜３のいずれか一項に記載の液体洗剤組成物。
【請求項５】
前記カチオン性付着補助ポリマーが、１５〜５０キロダルトン、好ましくは１８〜３０キロダルトンの重量平均分子量により特徴付けられる、請求項１〜４のいずれか一項に記載の液体洗剤組成物。
【請求項６】
前記カチオン性付着補助ポリマーが、３０ｍｏｌ％〜１００ｍｏｌ％、又は５０ｍｏｌ％〜１００ｍｏｌ％、又は５５ｍｏｌ％〜９５ｍｏｌ％、又は７０ｍｏｌ％〜８５ｍｏｌ％のカチオン性構造単位を含む、請求項１〜５のいずれか一項に記載の液体洗剤組成物。
【請求項７】
前記カチオン性付着補助ポリマーが、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、メタクリルアミドアルキルトリアルキルアンモニウム塩、アクリルアミドアルキルトリアルキルアンモニウム塩、ビニルアミン、ビニルイミン、ビニルイミダゾール、第四級化ビニルイミダゾール、ジアリルジアルキルアンモニウム塩、及びこれらの混合物からなる群から選択されるカチオン性モノマーから誘導されるカチオン性構造単位を含み、好ましくは前記カチオン性モノマーは、ジアリルジメチルアンモニウム塩（ＤＡＤＭＡＳ）、Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリメチルアンモニウム塩、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物からなる群から選択される、請求項１〜６のいずれか一項に記載の液体洗剤組成物。
【請求項８】
前記カチオン性モノマーが、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から選択され、好ましくは、ＤＡＤＭＡＳ、ＡＰＴＡＳ、及び／又はＭＡＰＴＡＳの塩から選択され、該塩は所望により塩化物を含む、請求項７に記載の液体洗剤組成物。
【請求項９】
前記カチオン性モノマーが、ジアリルジメチルアンモニウム塩、好ましくは塩化ジアリルジメチルアンモニウムを含む、請求項８に記載の液体洗剤組成物。
【請求項１０】
前記カチオン性付着補助ポリマーが、非イオン性構造単位を含み、好ましくは５ｍｏｌ％〜６０ｍｏｌ％、又は１５ｍｏｌ％〜３０ｍｏｌ％の非イオン性構造単位を含む、請求項１〜９のいずれか一項に記載の液体洗剤組成物。
【請求項１１】
前記カチオン性ポリマーが、（メタ）アクリルアミド、ビニルホルムアミド、Ｎ，Ｎ−ジアルキルアクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリオールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及びこれらの混合物からなる群から選択されるモノマーから誘導され、好ましくは（メタ）アクリルアミドから誘導される、非イオン性構造単位を含む、請求項１〜１０のいずれか一項に記載の液体洗剤組成物。
【請求項１２】
前記カチオン性ポリマーが、アクリルアミド／ＤＡＤＭＡＳ、アクリルアミド／ＤＡＤＭＡＳ／アクリル酸、アクリルアミド／ＡＰＴＡＳ、アクリルアミド／ＭＡＰＴＡＳ、アクリルアミド／ＱＶｉ、ポリビニルホルムアミド／ＤＡＤＭＡＳ、ポリ（ＤＡＤＭＡＳ）、アクリルアミド／ＭＡＰＴＡＳ／アクリル酸、アクリルアミド／ＡＰＴＡＳ／アクリル酸、及びこれらの混合物からなる群から選択され、好ましくはアクリルアミド／ＤＡＤＭＡＳである、請求項１〜１１のいずれか一項に記載の液体洗剤組成物。
【請求項１３】
前記カチオン性付着補助ポリマーが、２ｍｅｑ／ｇ〜１２ｍｅｑ／ｇ、好ましくは４．５ｍｅｑ／ｇ〜７ｍｅｑ／ｇの算出カチオン電荷密度を有することを更に特徴とする、請求項１〜１２のいずれか一項に記載の液体洗剤組成物。
【請求項１４】
前記組成物が、０．１〜１％の前記封入体を含む、請求項１〜１３のいずれか一項に記載の液体洗剤組成物。
【請求項１５】
前記有益剤が、香料原料を含む、請求項１〜１４のいずれか一項に記載の液体洗剤組成物。
【請求項１６】
前記封入体の前記壁が、前記壁の外側表面上にコーティングを含み、好ましくは、前記コーティングは、カチオン性効率ポリマーを含み、好ましくは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択されるカチオン性効率ポリマーを含み、前記カチオン性効率ポリマーは、前記カチオン性付着補助ポリマーとは異なり、好ましくは、ポリビニルアミン、ポリビニルホルムアミド、ポリアリルアミン、これらのコポリマー、及びこれらの混合物から選択されるカチオン性効率ポリマーを含み、より好ましくはポリビニルホルムアミドを含む、請求項１〜１５のいずれか一項に記載の液体洗剤組成物。
【請求項１７】
前記壁が、アミノプラストコポリマー、アクリル、アクリレート、及びこれらの混合物からなる群から選択される壁材料を含み、好ましくはアミノプラストコポリマーを含み、より好ましくは、メラミンホルムアルデヒド、尿素ホルムアルデヒド、架橋メラミンホルムアルデヒド、又はこれらの混合物から選択されるアミノプラストコポリマーを含む、請求項１〜１６のいずれか一項に記載の液体洗剤組成物。
【請求項１８】
前記組成物が、好ましくは前記組成物の０．１重量％〜４重量％の量で存在する、脂肪酸又はその塩を更に含む、請求項１〜１７のいずれか一項に記載の液体洗剤組成物。
【請求項１９】
前記組成物が、酵素、増白剤、洗浄ポリマー、汚れ放出ポリマー、ポリエーテルアミン、アミン、色相染料、又はこれらの組み合わせから選択される添加剤を更に含み、好ましくは酵素を含み、より好ましくは前記酵素はセルラーゼを含む、請求項１〜１８のいずれか一項に記載の液体洗剤組成物。
【請求項２０】
布地を処理する方法であって、前記方法が洗浄工程を含み、前記洗浄工程は、布地を、請求項１〜１９のいずれか一項に記載の洗剤組成物と接触させることを含み、所望により、前記布地を処理する方法が、柔軟化工程を更に含み、前記柔軟化工程は、前記布地を柔軟化組成物と接触させることを含む、方法。
【請求項２１】
界面活性剤系と、封入体と、カチオン性付着補助ポリマーとを含む液体洗剤組成物であって、
前記洗剤組成物は、前記洗剤組成物の１０重量％〜３０重量％の前記界面活性剤系を含み、
前記界面活性剤系は、１：１〜３．８：１の重量比で存在するアニオン性界面活性剤と非イオン性界面活性剤とを含み、
前記洗剤組成物は、前記洗剤組成物の０．１重量％〜５重量％の前記封入体を含み、
前記封入体は、コアと、該コアを少なくとも部分的に囲む壁とを含み、前記コアは、有益剤を含み、
前記カチオン性付着補助ポリマーは、非多糖類ポリマーであり、かつ１５〜５０キロダルトンの重量平均分子量により特徴付けられ、
前記カチオン性付着補助ポリマーは、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から選択されるカチオン性モノマーから誘導されるカチオン性構造単位を含み、
前記カチオン性付着補助ポリマーは、（メタ）アクリルアミドから誘導される非イオン性構造単位を更に含み、
前記カチオン性構造単位と前記非イオン性構造単位とは、６０：４０〜８５：１５のモル比で前記カチオン性付着補助ポリマー中に存在し、
前記液体洗剤組成物は、任意で、０．３％以下のシリコーンを含む、液体洗剤組成物。
【発明の詳細な説明】
【技術分野】
【０００１】
本開示は、界面活性剤系と、封入体と、カチオン性付着補助ポリマーとを含む洗剤組成物に関する。本開示は更に、そのような組成物の製造方法及び使用方法にも関する。
【背景技術】
【０００２】
消費者は、衣類を洗濯するとき、布地の見た目が清潔であり、かつ洗いたて感などの他の利点を有することを望むことが多い。従来の洗剤は、布地から汚れ及び染みを除去するように設計されており、他の有益剤を布地に効果的に付着させることができないために、消費者が望む所望の利点を有していない場合がある。カチオン性付着ポリマーを使用して、布地への有益剤の付着効率を増大させることができる。しかし、典型的に高分子量を有する従来の付着ポリマーを含む従来の洗剤は、カチオン性付着ポリマーを含まない従来の洗剤ほど洗浄しないか、又は白さ効果を維持しないということが見出された。従来のカチオン性付着ポリマーは、有益剤だけを付着させるのではなく、洗浄水に由来する汚れも布地に付着させ、これによって、布地を黒ずませ、及び／又は染み除去効果を失うことになる。例えば、従来のカチオン性ポリマーは、洗剤中のアニオン性界面活性剤と相互作用するため、粘土を凝集させることがあり、これにより粘土を再付着させる。
【０００３】
ポリマー付着補助剤の存在下で洗浄を提供する別の態様は、酵素の使用である。市販の酵素は、酵素の１％以下で、微量のセルラーゼを含み得るが、ただしセルラーゼは酵素混合物中の主要又は目的の酵素ではない。したがって、本開示の洗剤組成物は、例えば微量濃度で、例えば組成物の０．００５重量％以下の濃度で存在するセルラーゼを含んでもよい。典型的には、セルラーゼは、特定のカチオン性多糖類ポリマー（例えばカチオン性ヒドロキシエチルセルロース）のようなセルロース／多糖類系分子と相溶性ではない。セルラーゼ不純物が存在する場合、カチオン性ヒドロキシエチルセルロースポリマーは、酵素に作用され、付着補助剤としての効果がなくなる。カチオン性ヒドロキシエチルセルロースと相溶性であるようにプロテアーゼ混合物から微量のセルラーゼを除去することは、酵素のコストがより高くなり、セルラーゼ不純物を含む洗剤組成物をカチオン性ヒドロキシエチルセルロースを含む洗剤組成物と再混合するプロセス中に、無駄を回避することが困難になる。
【発明の概要】
【発明が解決しようとする課題】
【０００４】
したがって、良好な染み除去と良好な洗いたて感効果の両方を提供する洗剤の必要性が存在する。
【課題を解決するための手段】
【０００５】
本開示は、界面活性剤系と、封入体と、カチオン性付着補助ポリマーとを含む液体洗剤組成物に関する。
【０００６】
本開示は、界面活性剤系と、封入体と、カチオン性付着補助ポリマーとを含む液体洗剤組成物に関し、この洗剤組成物は、洗剤組成物の約８重量％〜約５０重量％の界面活性剤系を含み、この界面活性剤系は、約１：１〜約４．５：１の重量比で存在するアニオン性界面活性剤と非イオン性界面活性剤とを含み、このアニオン性界面活性剤は、約１：１〜約２０：１の重量比で、アニオン性サルフェート界面活性剤とアニオン性スルホネート界面活性剤とを含み、この洗剤組成物は、洗剤組成物の約０．１重量％〜約５重量％の封入体を含み、この封入体は、コアと、このコアを少なくとも部分的に囲む壁とを含み、このコアは、有益剤を含み、このカチオン性付着補助ポリマーは、非多糖類ポリマーであり、かつ約５〜約２００キロダルトンの重量平均分子量により特徴付けられ、この液体洗剤組成物は、任意で、０．３％以下のシリコーンを含む。
【０００７】
本開示は、界面活性剤系と、封入体と、カチオン性付着補助ポリマーとを含む液体洗剤組成物に関し、この洗剤組成物は、洗剤組成物の約８重量％〜約３０重量％の界面活性剤系を含み、この界面活性剤系は、約１：１〜約３．８：１の重量比で存在するアニオン性界面活性剤と非イオン性界面活性剤とを含み、この洗剤組成物は、洗剤組成物の約０．１重量％〜約５重量％の封入体を含み、この封入体は、コアと、このコアを少なくとも部分的に囲む壁とを含み、このコアは、有益剤を含み、このカチオン性付着補助ポリマーは、非多糖類ポリマーであり、かつ約１５〜約５０キロダルトンの重量平均分子量により特徴付けられ、このカチオン性付着補助ポリマーは、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から選択されるカチオン性モノマーから誘導されるカチオン性構造単位を含み、このカチオン性付着補助ポリマーは、（メタ）アクリルアミドから誘導される非イオン性構造単位を更に含み、このカチオン性構造単位及び非イオン性構造単位は、約６０：４０〜約８５：１５のモル比でカチオン性付着補助ポリマー中に存在し、この液体洗剤組成物は、任意で、０．３％以下のシリコーンを含む。
【０００８】
本開示はまた、布地を処理する方法に関し、この方法は洗浄工程を含み、この洗浄工程は、布地を、本明細書に記載の洗剤組成物と接触させることを含む。この方法は、柔軟化工程を更に含み、洗浄工程は、布地を柔軟化組成物と接触させることを含み得る。
【図面の簡単な説明】
【０００９】
本明細書の図面は、事実上例示的なものであり、制限的であることを意図したものではない。
【図１】本開示による封入体１０の概略図を示す。
【図２】本開示による封入体１０の概略図を示し、封入体１０はコーティング４０を含む。
【発明を実施するための形態】
【００１０】
本開示は、カチオン性ポリマーと、封入体と、界面活性剤系とを含む布地処理組成物に関する。本開示の布地ケア組成物は、洗浄及び／又は白さの効果と、洗いたて感及び／又は封入体付着効果の両方を提供することを目的とする。これらの効果は、封入体を備える組成物に使用するための、特定の低分子量カチオン性付着ポリマーと、特定の界面活性剤系とを選択することによって提供される。
【００１１】
驚くべきことに、特定の低分子量カチオン性付着ポリマーと、界面活性剤系における特定の比率の界面活性剤との特定の組み合わせを選択することにより、微量のセルラーゼを含む酵素混合物と相溶性である、洗浄及び洗いたて感の効果を提供する洗剤組成物を配合することが可能であることが見出された。理論に束縛されるものではないが、アニオン性界面活性剤と非イオン性界面活性剤との特定の組み合わせが、カチオン性付着補助剤と相互作用して、洗浄プロセスを通じてカプセル保持を強化すると考えられる。
【００１２】
本開示の組成物の成分及びプロセスは、以下により詳細に記載されている。
【００１３】
本明細書で使用するところの「分子量」という用語は、ポリマー組成物中のポリマー鎖の重量平均分子量を指す。更に、本明細書で使用するところの「重量平均分子量」（「Ｍｗ」）は、以下の等式を用いて計算される：
Ｍｗ＝（Σｉ  Ｎｉ  Ｍｉ２）／（Σｉ  Ｎｉ  Ｍｉ）
式中、Ｎｉは、分子量Ｍｉを有する分子の数である。重量平均分子量は、試験方法の項で述べられる方法によって測定しなければならない。
【００１４】
本明細書で使用するところの「ｍｏｌ％」とは、ポリマー中の特定のモノマー構造単位の相対モル比率（％）を指す。本開示の意味の範囲内では、カチオン性ポリマー中に存在する全てのモノマー構造単位の相対モル比率の総和は１００ｍｏｌ％となる点が理解されよう。
【００１５】
本明細書で使用するところの「〜から誘導される」なる用語は、ある化合物又はかかる化合物の任意の誘導体（すなわち１つ以上の置換基を有する）から生成され得るポリマー中のモノマー構造単位を指す。好ましくは、そのような構造単位は、対象となる化合物から直接生成される。例えば、「（メタ）アクリルアミドから誘導される構造単位」なる用語は、（メタ）アクリルアミド、又は１つ以上の置換基を有する任意のその誘導体から生成され得るポリマー中のモノマー構造単位を指す。好ましくは、そのような構造単位は、（メタ）アクリルアミドから直接生成される。本明細書で使用するところの「（メタ）アクリルアミド」は、アクリルアミド（「Ａａｍ」）又はメタアクリルアミドのいずれかを指す。（メタ）アクリルアミドは、本明細書で「（Ｍ）ＡＡｍ」と略記される。別の例として、「ジアリルジメチルアンモニウム塩から誘導される構造単位」なる用語は、ジアリルジメチルアンモニウム塩（ＤＡＤＭＡＳ）、又は１つ以上の置換基を有する任意のその誘導体から直接生成され得るポリマー中のモノマー構造単位を指す。好ましくは、そのような構造単位は、そのようなジアリルジメチルアンモニウム塩から直接生成される。更に別の例として、「アクリル酸から誘導される構造単位」なる用語は、アクリル酸（ＡＡ）、又は１つ以上の置換基を有する任意のその誘導体から生成され得るポリマー中のモノマー構造単位を指す。好ましくは、そのような構造単位は、アクリル酸から直接生成される。
【００１６】
本明細書で使用するところの「アンモニウム塩」又は「アンモニウム塩類」なる用語は、塩化アンモニウム、フッ化アンモニウム、臭化アンモニウム、ヨウ化アンモニウム、重硫酸アンモニウム、アルキル硫酸アンモニウム、リン酸二水素アンモニウム、アルキルリン酸水素アンモニウム、ジアルキルリン酸アンモニウム、などからなる群から選択される様々な化合物を指す。例えば、本明細書に述べられるジアリルジメチルアンモニウム塩としては、これらに限定されるものではないが、塩化ジアリルジメチルアンモニウム（ＤＡＤＭＡＣ）、フッ化ジアリルジメチルアンモニウム、臭化ジアリルジメチルアンモニウム、ヨウ化ジアリルジメチルアンモニウム、重硫酸ジアリルジメチルアンモニウム、アルキル硫酸ジアリルジメチルアンモニウム、リン酸二水素ジアリルジメチルアンモニウム、アルキルリン酸水素ジアリルジメチルアンモニウム、ジアルキルリン酸ジアリルジメチルアンモニウム、及びこれらの組み合わせが挙げられる。好ましくは、アンモニウム塩は塩化アンモニウムであるが、必ずしもそうでなくともよい。
【００１７】
本明細書で使用するとき、特許請求の範囲で使用されるときの「ａ」及び「ａｎ」という冠詞は、特許請求又は記載されているもののうちの１つ以上を意味すると理解される。本明細書で使用するところの「含む（include）」、「含む（includes）」、及び「含んでいる（including）」なる用語は、非限定的であることを意味する。本開示の組成物は、本開示の成分を含み、それらから本質的になり、又はそれらからなることができる。
【００１８】
本明細書では、「実質的に含まない（substantially free of）」又は「実質的に含まない（substantially free from）」なる用語が使用され得る。これは、指示される物質が最小限の量であり、組成物の一部をなすように組成物に意図的に添加されない、又は、好ましくは、分析的に検出可能な濃度で存在しないことを意味する。それは、指示される物質が意図的に含まれる他の物質のうちの１つの中に不純物としてのみ存在する、組成物を含むことを意味する。指示される物質は、もしある場合は、組成物の１重量％未満、又は０．１重量％未満、又は０．０１重量％未満、又は更には０重量％のレベルで存在してもよい。
【００１９】
本明細書で使用するとき、「布地ケア組成物」という語句には、布地を処理するよう設計された組成物及び配合物が含まれる。かかる組成物としては、洗濯洗浄組成物及び洗剤、布地用柔軟化組成物、布地用強化組成物、布地用消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量処方、遅延送達処方、多孔性基材若しくは不織シート表面又は内部に含有される洗剤、及び本明細書の教示を考慮すると当業者には明白である場合がある他の好適な形態が挙げられるが、これらに限定されない。かかる組成物を、洗濯前処理、洗濯後処理として使用してもよく、又は洗濯動作のすすぎサイクル若しくは洗浄サイクル中に加えてもよい。
【００２０】
本明細書で使用するところの「カチオン性ポリマー」なる用語は、正味カチオン電荷を有するポリマーを意味する。更に、本明細書に記載のカチオン性ポリマーは、典型的には、ポリマー形成モノマー（例えば、（メタ）アクリルアミドモノマー、ＤＡＤＭＡＳモノマー等）から既知の方法に従って合成されることが、理解されよう。本明細書で使用するとき、得られるポリマーは、カチオン性ポリマーの「重合部分」と見なされる。ただし、合成反応が完了した後、ポリマー形成モノマーの一部は未反応のままであってもよく、及び／又はオリゴマーを形成してもよい。本明細書で使用するとき、未反応のモノマー及びオリゴマーは、カチオン性ポリマーの「非重合部分」と見なされる。本明細書で使用するところの「カチオン性ポリマー」なる用語は、別途記載のない限り、重合部分と非重合部分の両方を含む。いくつかの態様において、カチオン性ポリマーは、カチオン性ポリマーの非重合部分を含む。いくつかの態様において、カチオン性ポリマーは、カチオン性ポリマーの約５０重量％未満、又は約３５重量％未満、又は約２０重量％未満、又は約１５重量％未満、又は約１０重量％未満、又は約５重量％未満、又は約２重量％未満の非重合部分を含む。この非重合部分は、ポリマー形成モノマー、カチオン性ポリマー形成モノマー、若しくはＤＡＤＭＡＣモノマー、及び／又はこれらのオリゴマーを含み得る。いくつかの態様において、カチオン性ポリマーは、カチオン性ポリマーの約５０重量％超、又は約６５重量％超、又は約８０重量％超、又は約８５重量％超、又は約９０重量％超、又は約９５重量％超、又は約９８重量％超の重合部分を含む。更に、ポリマー形成モノマーは、いったん重合した後、変性させて重合繰り返し／構造単位を形成し得ることが理解されよう。例えば、重合酢酸ビニルを加水分解して、ビニルアルコールを形成してもよい。
【００２１】
本明細書で使用するとき、「電荷密度」は、ポリマー自体の正味電荷密度を指し、モノマー原料とは異なり得る。ホモポリマーの電荷密度は、繰り返し（構造）単位当たりの正味電荷数を、繰り返し単位の分子量で除することにより計算され得る。正電荷は、ポリマーの主鎖及び／又はポリマーの側鎖に位置してよい。一部のポリマー（例えばアミン構造単位を有するポリマー）では、電荷密度はキャリアのｐＨに依存する。これらのポリマーについて、電荷密度はｐＨ７でのモノマーの電荷に基づいて計算される。「ＣＣＤ」はカチオン電荷密度を指し、「ＡＣＤ」はアニオン電荷密度を指す。典型的には、電荷は、重合した構造単位に対して決定されるものであり、必ずしも親単量体に対して決定されるものではない。
【００２２】
本明細書で使用するところの「カチオン電荷密度」（ＣＣＤ）なる用語は、ポリマー１グラム当たりに存在する正味正電荷の量である。カチオン電荷密度（ポリマー１グラム当たりの電荷の当量単位）は、下記の式に従って計算することができる：
【００２３】
【数１】
2019515085.tif 000003
式中、Ｑｃ、Ｑｎ、及びＱａはそれぞれ、カチオン性、非イオン性、及びアニオン性の繰り返し単位（任意で）の電荷のモル当量である。Ｍｏｌ％ｃ、ｍｏｌ％ｎ、及びｍｏｌ％ａはそれぞれ、カチオン性、非イオン性、及びアニオン性の繰り返し単位（任意で）のモル比であり、ＭＷｃ、ＭＷｎ、及びＭＷａはそれぞれ、カチオン性、非イオン性、及びアニオン性の繰り返し単位（任意で）の分子量である。１グラム当たりの電荷の当量を、１グラム当たりの電荷のミリ当量（ｍｅｑ／ｇ）に換算するには、当量に１０００を掛ける。ポリマーが、複数のタイプのカチオン性繰り返し単位、複数のタイプの非イオン性繰り返し単位、及び／又は複数のタイプのアニオン性繰り返し単位を含む場合は、当業者はそれに従って方程式を調節することができる。
【００２４】
例として、カチオン性ホモポリマー（モル比＝１００％又は１．００）で、モノマー分子量１６１．６７ｇ／ｍｏｌの場合、ＣＣＤは、次のように計算される：ポリマー電荷密度＝（１）×（１．００）／（１６１．６７）×１０００＝６．１９ｍｅｑ／ｇ。分子量１６１．６７のカチオン性モノマーと、分子量７１．０７９の中性コモノマーとを、モル比１：１で有するコポリマーは、（１×０．５０）／［（０．５０×１６１．６７）＋（０．５０×７１．０７９）］＊１０００＝４．３ｍｅｑ／ｇとして計算される。分子量１６１．６７のカチオン性モノマー、分子量７１．０７９の中性コモノマー、及び中和された分子量９４．０４ｇ／ｍｏｌのアニオン性コモノマーとを、モル比８０．８：１５．４：３．８で有するターポリマーは、カチオン電荷密度５．３ｍｅｑ／ｇを有する。
【００２５】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００２６】
本明細書における全ての温度は、特に断らない限り、摂氏（℃）を単位とする。特に規定がない限り、本明細書における全ての測定は、２０℃及び大気圧下で行う。
【００２７】
本開示の全ての実施形態において、全ての比率（％）は、特に記載のない限り、全組成物の重量に対するものである。別途記載のない限り、全ての比は重量比である。
【００２８】
本明細書全体を通して与えられる全ての最大数値限定は、それよりも小さい全ての数値限定を、かかるより小さい数値限定があたかも本明細書に明示的に記載されているかのように含むものと理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２９】
本明細書に述べられ、かつ特許請求される、組成物及び方法のパラメータのそれぞれの値を決定するには、本出願の試験方法の項に開示される試験方法が使用されなければならない点は理解されよう。
【００３０】
液体洗剤組成物
本開示は、洗剤組成物に関する。この洗剤組成物は布地ケア組成物であり得る。この組成物は、洗濯前処理として、又は洗浄サイクル中に使用することができる。この液体洗剤組成物は、強力洗濯洗剤であり得る。ＴＩＤＥ、ＧＡＩＮ、及びＡＲＩＥＬは、Ｔｈｅ  Ｐｒｏｃｔｅｒ  ＆  Ｇａｍｂｌｅ  Ｃｏｍｐａｎｙ（Ｃｉｎｃｉｎｎａｔｉ，Ｏｈｉｏ，ＵＳＡ）から市販されている強力洗濯洗剤のブランド名の例である。
【００３１】
この洗剤組成物は液体であってもよい。この液体洗剤は、約１〜約２０００センチポアズ（１〜２０００ｍＰａ・ｓ）、又は約２００〜約８００センチポアズ（２００〜８００ｍＰａ・ｓ）の粘度を有し得る。粘度は、ブルックフィールド粘度計、２番スピンドルを使用し、６０ＲＭＰ／ｓで２５℃にて測定される。
【００３２】
洗剤組成物は、単位用量形態であってもよい。単位用量物品は、特定用途のための、物品内に含有される組成物の、単一で使用が容易な用量を提供することを意図している。単位用量形態は、パウチ又は水溶性シートの形態であり得る。パウチは、少なくとも１つの、又は少なくとも２つの、又は少なくとも３つの区画を含み得る。典型的に、洗剤組成物は、この区画のうち少なくとも１つの区画に含まれる。区画は重ねて配置される方向、即ち、これらの区画が共通の壁を共有し、一方が他方の上部に位置するように配置されてよい。少なくとも１つの区画は、別の区画と重なり合っていてもよい。あるいは、区画は並列の方向に、即ち一方が他方の隣に配向されるように位置してよい。区画は「タイヤ及びリム」配置で配向されてもよい。即ち、第１区画が第２区画の隣に位置するが、第１区画は第２区画を少なくとも部分的に取り囲み、第２区画を完全に包囲しない。あるいは、１つの区画が別の区画内に完全に包囲されてもよい。
【００３３】
単位用量形態は、区画を形成し、かつ洗剤組成物をカプセル化する水溶性フィルムを含み得る。好ましいフィルム材料は、ポリマー材料である。例えば、水溶性フィルムはポリビニルアルコールを含み得る。フィルム材料を、当該技術分野において公知の、例えば、ポリマー材料の注型成形、吹込成形、押出成形又は吹込押出成形によって得ることができる。好適なフィルムには、Ｍｏｎｏｓｏｌ（Ｍｅｒｒｉｌｌｖｉｌｌｅ，Ｉｎｄｉａｎａ，ＵＳＡ）によって商品参照番号Ｍ８６３０、Ｍ８９００、Ｍ８７７９、Ｍ８３１０、及びＭ９４６７として供給されているものが挙げられる。フィルム及び／又はその中に含まれる組成物は、摂取を防ぐために、安息香酸デナトニウムなどの嫌悪剤を含んでもよい。
【００３４】
洗剤組成物は水を含み得る。本組成物は、組成物の約１重量％〜約８０重量％の水を含み得る。組成物が強力液体洗剤組成物である場合、組成物は典型的には、約４０％〜約８０％の水を含む。組成物がコンパクト液体洗剤である場合、組成物は典型的には、約２０％〜約６０％、又は約３０％〜約５０％の水を含む。組成物が単位用量形態、例えば、水溶性フィルムに封入される場合、組成物は典型的には、２０％未満、又は１５％未満、又は１２％未満、又は１０％未満、又は８％未満又は５％未満の水を含む。組成物は、組成物の約１重量％〜２０重量％、又は約３重量％〜約１５重量％、又は約５重量％〜約１２重量％の水を含んでもよい。
【００３５】
界面活性剤系
本開示の洗剤組成物は、界面活性剤系を含む。界面活性剤系は、洗浄効果を提供することが知られている。しかし、特定の界面活性剤系を注意深く選択することにより、特定の封入体と組み合わせて使用する場合に、付着効果をも提供できることが見出されている。
【００３６】
本開示の洗剤組成物は、所望の洗浄特性をもたらすのに充分な量の界面活性剤系を含み得る。この洗剤組成物は、組成物の約８重量％から、又は約１０重量％から、又は約１５重量％から、又は約２０重量％から、約５０重量％まで、又は約３０重量％まで、又は約２５重量％まで、又は約２０重量％までの界面活性剤系を含み得る。
【００３７】
界面活性剤系は、アニオン性界面活性剤、非イオン性界面活性剤、カチオン性界面活性剤、双性イオン界面活性剤、両性界面活性剤、両性電解質界面活性剤、及びこれらの混合物から選択される洗浄性界面活性剤を含んでもよい。当業者であれば、洗浄性界面活性剤は、汚れた布地に洗浄、染み除去、又は洗濯効果をもたらす、任意の界面活性剤又は界面活性剤混合物を包含することを理解するであろう。本明細書で使用するとき、脂肪酸及びその塩が、界面活性剤系の一部となることが理解され、より具体的には、アニオン性界面活性剤の一部となることが理解されよう。
【００３８】
アニオン性界面活性剤／非イオン性界面活性剤の組み合わせ
界面活性剤系は、アニオン性界面活性剤と非イオン性界面活性剤とを、ある重量比で含み得る。アニオン性界面活性剤と非イオン性界面活性剤との重量比を慎重に選択することにより、所望のレベルの洗浄効果及びカプセル付着効果を提供するのに役立ち得る。
【００３９】
この界面活性剤系は、約１：１〜約４．５：１の重量比で存在するアニオン性界面活性剤と非イオン性界面活性剤とを含み得る。アニオン性界面活性剤と非イオン性界面活性剤との重量比は、約１：１から、又は約２：１から、約４．５まで、又は約３．８：１まで、又は約３．６：１まで、又は約３：１まで、又は約約２．９：１まで、又は約２．７：１まで、又は約２：１までであり得る。好適なアニオン性界面活性剤及び非イオン性界面活性剤については、以下でより詳細に説明する。
【００４０】
アニオン性界面活性剤
本開示の界面活性剤系は、アニオン性界面活性剤を含み得る。洗浄組成物の界面活性剤系は、界面活性剤系の約１重量％〜約８０重量％のアニオン性界面活性剤を含んでもよい。界面活性剤系は、界面活性剤系の約８０重量％以下、又は約７５重量％以下、又は約６７重量％以下、又は約６０重量％以下、又は約５５重量％以下、又は約５０重量％以下のアニオン性界面活性剤を含み得る。
【００４１】
アニオン性界面活性剤は、布地などの表面を処理するために有用な従来のアニオン性界面活性剤を含み得る。界面活性剤系中に存在するアニオン性界面活性剤は、アニオン性サルフェート界面活性剤とアニオン性スルホネート界面活性剤とを、ある重量比で含み得る。理論に束縛されるものではないが、界面活性剤系中に存在するサルフェート界面活性剤の量が、スルホネート界面活性剤の量以上である場合には、封入体付着効率を向上させることができると考えられる。アニオン性界面活性剤は、アルカリ金属塩又はアミン（例えば、モノエタノールアミン又はトリエタノールアミンなどのアルカノールアミン）で中和することができる。
【００４２】
アニオン性サルフェート界面活性剤とアニオン性スルホネート界面活性剤との重量比は、約１：１〜約２０：１であり得る。アニオン性サルフェート界面活性剤とアニオン性スルホネート界面活性剤とは、約１：１から、又は約１．５：１から、又は約２：１から、約２０：１まで、又は約１５：１まで、又は約１０：１まで、又は約５：１まで、又は約２．５：１まで、又は約２：１までの重量比で存在してよく、この重量比は約２：１〜約３：１であり得る。アニオン性サルフェート界面活性剤は、アルコキシル化アルキルサルフェート界面活性剤、又は更にはエトキシル化アルキルサルフェート界面活性剤（「ＡＥＳ」）を、上述の比のいずれかで含み得る。アニオン性スルホネート界面活性剤は、アルキルベンゼンスルホネート界面活性剤、又は更には直鎖アルキルベンゼンスルホネート界面活性剤（「ＬＡＳ」）を、上述の比のいずれかで含み得る。サルフェート界面活性剤及びスルホネート界面活性剤については、以下でより詳細に議論される。
【００４３】
アニオン性サルフェート界面活性剤は、アルコキシル化アルキルサルフェート界面活性剤を含み得る。このアルコキシル化アルキルサルフェート界面活性剤は、界面活性剤系の主要部分として存在してもよい。アルコキシル化アルキルサルフェート界面活性剤は、アルキルエーテルサルフェート又はアルキルポリエトキシレートサルフェートとしても知られる、エトキシル化アルキルサルフェート界面活性剤を含み得る。エトキシル化アルキルサルフェートの例としては、水溶性塩、特に約８個〜約３０個の炭素原子を含有するアルキル基並びにスルホン酸及びその塩を分子構造の中に有する有機硫黄反応生成物のアルカリ金属塩、アンモニウム塩、及びアルキロールアンモニウム塩が挙げられる。（用語「アルキル」には、アシル基のアルキル部分が含まれる。）
【００４４】
このアルキル基は、約８個〜約２０個の炭素原子、あるいは、約１０個から、又は約１２個から、約１８個まで、又は約１６個まで、又は約１４個までの炭素原子を有し得る。アニオン性アルコキシル化アルキルサルフェート界面活性剤は、アルコキシル化Ｃ１０〜Ｃ１６、好ましくはＣ１２〜Ｃ１６、より好ましくはＣ１２〜Ｃ１４のサルフェート界面活性剤を含み得る。
【００４５】
このアルコキシル化アルキルサルフェート界面活性剤は、アルコキシル化アルキルサルフェートの混合物であってよく、この混合物は、約８個〜約３０個、又は約８個〜約２０個、又は約１０個〜約１６個、又は約１２個〜約１６個、又は約１２個〜約１４個の炭素原子の範囲内の平均（算術平均）炭素鎖長を有する。
【００４６】
アルコキシル化アルキルサルフェート界面活性剤は、約１モル〜約５モルのアルコキシ基の平均（算術平均）アルコキシル化度を有してもよい。エトキシル化アルキルサルフェート界面活性剤は、約１モル〜約５モル、又は約１〜約４、又は約１〜約３、又は約１．５〜約３のエトキシ基の平均（算術平均）エトキシル化度を有してもよい。換言すれば、サルフェート界面活性剤は、約１〜約５、又は約１〜約４、又は約１〜約３、又は約１．５〜約３の平均エトキシル化度を有し得る。平均エトキシル化度は、約１．８であってよく、あるいは約３であってもよい。
【００４７】
アニオン性アルコキシル化アルキルサルフェート界面活性剤は、約１．５〜約３のエトキシル化度を有する、Ｃ１２〜Ｃ１５、又は更にはＣ１２〜Ｃ１４のサルフェート界面活性剤であり得る。
【００４８】
アニオン性サルフェート界面活性剤は、高級Ｃ８〜Ｃ２０脂肪族アルコールの硫酸化によって生成れるもののような、非アルコキシル化アルキルサルフェート界面活性剤を含み得る。一級アルキルサルフェート界面活性剤は、一般式：ＲＯＳＯ３−Ｍ＋を有し得、式中、Ｒは典型的には、直鎖Ｃ８〜Ｃ２０ヒドロカルビル基であり（この基は、直鎖であっても、分枝鎖であってもよい）、Ｍは、水溶化カチオンである。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。本明細書に記載の洗剤組成物は、（任意で）界面活性剤系の５重量％以下の非アルコキシル化アルキルサルフェート界面活性剤を含み得る。
【００４９】
アニオン性スルホネート界面活性剤は、アルキルベンゼンスルホネート界面活性剤を含み得る。アルキルベンゼンスルホネート界面活性剤は、アルキルベンゼンスルホネートのアルカリ金属塩及び／又は（アルキロール）アミン塩を含み得、ここにおいてこのアルキル基は、約９〜約１５個の炭素原子を直鎖（線状）又は分枝鎖の構成で含有する。アルキル基は、直鎖であり得る。そのような直鎖アルキルベンゼンスルホネートは、「ＬＡＳ」として既知である。直鎖アルキルベンゼンスルホネートは、アルキル基中に約１１〜１４個の平均炭素原子数を有し得る。線状直鎖アルキルベンゼンスルホネートは、アルキル基中に約１１．８個の炭素原子の平均炭素原子数を有してもよく、Ｃ１１．８  ＬＡＳと略称される場合がある。本明細書に記載の洗剤組成物は、（任意で）界面活性剤系の５重量％以下のアルキルスルホネート界面活性剤（例えば、直鎖アルキルベンゼンスルホネート界面活性剤などの、アルキルベンゼンスルホネート界面活性剤）を含み得る。
【００５０】
本開示の洗剤組成物は、脂肪酸及び／又はその塩を含み得る。理論に束縛されるものではないが、本発明の組成物において、脂肪酸及び／又はその塩がカチオン性付着補助ポリマーと相互作用し、付着に寄与し得ると考えられる。しかし、本発明の組成物において、脂肪酸は必要でない場合があり、脂肪酸レベルを最小に抑えるための、又は脂肪酸を完全に除去するための、加工、コスト、及び安定性の利点があり得る。
【００５１】
この組成物は、組成物の約０．１重量％、又は約０．５重量％から、又は約１重量％から、約２０重量％まで、又は約１０重量％まで、又は約８重量％まで、又は約５重量％まで、又は約４重量％まで、又は約３重量％まで、又は約２重量％までの脂肪酸及び／又はその塩を含み得る。この組成物は、組成物の約０．１重量％〜約４重量％の脂肪酸及び／又はその塩を含み得る。この洗剤組成物は、脂肪酸及び／又はその塩を実質的に含まない（又は更には含有量が０％である）場合がある。
【００５２】
好適な脂肪酸及び塩としては、式Ｒ１ＣＯＯＭを有するものが挙げられ、式中、Ｒ１は炭素原子数４〜３０の一級又は二級アルキル基であり、Ｍは水素カチオン又は別の可溶化カチオンである。酸形態において、Ｍは水素カチオンである。塩形態において、Ｍは水素ではない可溶化カチオンである。脂肪酸又は塩は、脂肪酸又は塩のｐＫａが非水性液体組成物のｐＨより低くなるように選択することができる。組成物は、６〜１０．５、又は６．５〜９、又は７〜８のｐＨを有し得る。
【００５３】
Ｒ１で表されるアルキル基は、鎖長の混合物を表してもよく、飽和又は不飽和であってもよいが、Ｒ１基の少なくとも３分の２は、炭素原子数８〜１８個の鎖長を有することが好ましい。好適なアルキル基源の非限定的な例としては、ココヤシ油、タロー、トール油、菜種油由来、オレイン酸、アルキルコハク脂肪酸、パーム核油、及びこれらの混合物に由来する脂肪酸が挙げられる。ただし、臭気を最小限に抑えるために、一級飽和カルボン酸を用いることがしばしば望ましい。
【００５４】
可溶化カチオンＭ（Ｍは水素カチオンではない場合）は、一般に一価部分であることが好ましいが、製品に水溶性を付与する任意のカチオンであり得る。本開示で使用するための好適な可溶化カチオンの例としては、アルカリ金属（例えばナトリウム及びカリウム）、及びアミン（例えばモノエタノールアミン）、トリエタノールアンモニウム、アンモニウム、及びモルホリニウムが挙げられる。使用時には、脂肪酸の大部分が中和塩形態で組成物中に組み込まれるが、しばしば、組成物中に遊離脂肪酸を残存させることが好ましい。これは、特に低含水率（例えば２０％未満）であるときの、組成物の粘度維持の助けになるからである。
【００５５】
非イオン性界面活性剤
本開示の界面活性剤系は、非イオン性界面活性剤をも含み得る。非イオン性界面活性剤は、界面活性剤系の約１重量％から約５０重量％まで、又は約４０重量％まで、又は約３３重量％まで、又は約２５重量％まで、又は約２０重量％まで、又は約１０重量％までのレベルで界面活性剤系に存在し得る。
【００５６】
本明細書で有用な好適な非イオン性界面活性剤は、任意の従来の非イオン性界面活性剤を含み得る。これらとしては、アルコキシル化非イオン性界面活性剤及びアミンオキシド界面活性剤が挙げられ得る。
【００５７】
アルコキシル化非イオン性界面活性剤は、エトキシル化アルコール及びエトキシル化アルキルフェノールを含んでもよい。非イオン性界面活性剤は、式Ｒ（ＯＣ２Ｈ４）ｎＯＨ（式中、Ｒは、約８〜約１５個の炭素原子を含有する脂肪族炭化水素ラジカル、及びアルキル基が約８〜約１２個の炭素原子を含有するアルキルフェニルラジカルからなる群から選択され、ｎの平均値は、約５〜約１５である）のものであり得る。非イオン性界面活性剤は、非イオン性アルコキシル化脂肪族アルコール界面活性剤であってよく、好ましくは非イオン性エトキシル化脂肪族アルコール界面活性剤であってよい。非イオン性界面活性剤は、平均として約１２〜約１４個の炭素原子を有し、平均エトキシル化度がアルコール１モル当たり約７〜約９モルのエチレンオキシドであり得る。
【００５８】
本明細書で有用な非イオン性界面活性剤の他の非限定例としては、Ｃ１２〜Ｃ１８アルキルエトキシレート（ＮＥＯＤＯＬ（登録商標）非イオン性界面活性剤（Ｓｈｅｌｌ）など）、Ｃ６〜Ｃ１２アルキルフェノールアルコキシレート（ここで、アルコキシレート単位はエチレンオキシ単位とプロピレンオキシ単位の混合物である）、Ｃ１２〜Ｃ１８アルコール、及びエチレンオキシド／プロピレンオキシドブロックポリマーとのＣ６〜Ｃ１２アルキルフェノール縮合物（Ｐｌｕｒｏｎｉｃ（登録商標）（ＢＡＳＦ）など）、Ｃ１４〜Ｃ２２中鎖分枝状アルコール、Ｃ１４〜Ｃ２２中鎖分枝状アルキルアルコキシレート（ＢＡＥｘ、式中、ｘは１〜３０である）、アルキル多糖類、アルキルポリグリコシド、ポリヒドロキシ脂肪酸アミド、及びエーテル末端保護されたポリ（オキシアルキル化）アルコール界面活性剤、並びにこれらの混合物が挙げられる。
【００５９】
封入体
本開示の洗剤組成物は、封入体を含み得る。図１に示すように、封入体１０は、コア３０と、コア３０を少なくとも部分的に囲む壁２０とを含み得る。コア３０は、香料などの有益剤を含んでもよい。壁２０は、外側表面２５を含み得る。図２に示すように、外側表面２５は、コーティング４０を含み得る。コーティング４０は効率ポリマーを含み得る。これらの要素については、以下でより詳細に議論される。
【００６０】
本組成物は、組成物の約０．１重量％から、又は約０．２重量％から、又は約０．３重量％から、又は約０．４重量％から、又は約０．５重量％から、約５重量％まで、又は約２．５重量％まで、又は約２重量％まで、又は約１重量％までの封入体を含み得る。本組成物は、組成物の約０．１重量％〜約１重量％の封入体を含むことができる。
【００６１】
封入体は壊れやすいものであってよい。封入体の粒径は、マルバーン粒子径測定装置を使用するなどの当該技術分野では周知の一般的な方法によって測定することができる。封入体は、約１０μｍ〜約５００μｍまで、又は約２００μｍまで、又は約１００μｍまで、又は約５０μｍまで、又は約３０μｍまでの平均粒径を有し得る。複数の封入体が集合体を形成してもよい。
【００６２】
封入体は、約２〜約１０、約３〜約９、又は約４〜約８の範囲のｐＨでカチオン電荷を有し得る。
【００６３】
封入体は、少なくとも部分的にコアを囲むことができる壁を有してもよい。壁は、ポリエチレン、ポリアミド、ポリスチレン、ポリイソプレン、ポリカーボネート、ポリエステル、ポリアクリレート、アクリル、アミノプラスト、ポリオレフィン、多糖類、例えば、アルギネート及び／若しくはキトサン、ゼラチン、セラック、エポキシ樹脂、ビニルポリマー、非水溶性無機材料、シリコーン、及びこれらの混合物からなる群から選択される壁材料を含むことができる。壁材料は、アミノプラスト、アクリル、アクリレート、及びこれらの混合物からなる群から選択することができる。
【００６４】
壁材料は、アミノプラストを含み得る。アミノプラストは、ポリ尿素、ポリウレタン及び／又はポリウレアウレタンを含み得る。アミノプラストは、アミノプラストコポリマー、例えば、メラミンホルムアルデヒド、尿素ホルムアルデヒド、架橋メラミンホルムアルデヒド、又はこれらの混合物を含み得る。壁材料は、メラミンホルムアルデヒドを含んでもよく、壁は、下記に述べるようなコーティングを更に含んでもよい。封入体は、香料を含むコアと、メラミンホルムアルデヒド及び／又は架橋メラミンホルムアルデヒドを含む壁とを含み得る。封入体は、香料を含むコアと、メラミンホルムアルデヒド及び／又は架橋メラミンホルムアルデヒド、ポリ（アクリル酸）及びポリ（アクリル酸−ｃｏ−ブチルアクリレート）を含む壁とを含み得る。
【００６５】
封入体の外壁は、コーティングを含んでもよい。特定のコーティングは、布地などの対象面上への封入体の付着性を向上させることができる。封入体は、約１：２００〜約１：２、約１：１００〜約１：４、又は更には約１：８０〜約１：１０のコーティングと壁との重量比を有し得る。
【００６６】
コーティングは、効率ポリマーを含み得る。コポリマーは、カチオン性効率ポリマーを更に含み得る。カチオン性ポリマーは、多糖類、カチオン変性デンプン、カチオン変性グアー、ポリシロキサン、ポリジアリルジメチルアンモニウムハライド、塩化ポリジアリルジメチルアンモニウムとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択することができる。コーティングは、ポリビニルアミン、ポリビニルホルムアミド、ポリアリルアミン、これらのコポリマー、及びこれらの混合物からなる群から選択されるポリマーを含み得る。
【００６７】
コーティングは、ポリビニルホルムアミドを含み得る。ポリビニルホルムアミドは、約５％〜約９５％、約７％〜約６０％、又は更には約１０％〜約４０％の加水分解度を有し得る。
【００６８】
効率ポリマーの１つ以上が、約１，０００Ｄａ〜約５０，０００，０００Ｄａ、約５，０００Ｄａ〜約２５，０００，０００Ｄａ、約１０，０００Ｄａ〜約１０，０００，０００Ｄａ、又は更には約３４０，０００Ｄａ〜約１，５００，０００Ｄａの平均分子質量を有し得る。効率ポリマーの１つ以上が、効率的なポリマー１ｇ当たり約１ｍｅｑ〜約２３ｍｅｑ、効率的なポリマー１ｇ当たり約１．２ｍｅｑ〜１６ｍｅｑ、効率的なポリマー１ｇ当たり約２ｍｅｑ〜約１０ｍｅｑ、又は更には効率的なポリマー１ｇ当たり約１ｍｅｑ〜約４ｍｅｑの電荷密度を有し得る。
【００６９】
封入体のコアは、有益剤を含み得る。適当な有益剤としては、香料原料、シリコーンオイル、ワックス、炭化水素、高級脂肪酸、エッセンシャルオイル、脂質、皮膚冷却剤、ビタミン、日焼け止め剤、酸化防止剤、グリセリン、触媒、漂白剤粒子、二酸化ケイ素粒子、悪臭軽減剤、臭気制御材料、キレート剤、帯電防止剤、柔軟剤、昆虫及びガ駆除剤、着色剤、酸化防止剤、キレート剤、増粘剤、ドレープ及びフォーム調整剤、平滑剤、しわ抑制剤、衛生化剤、消毒剤、細菌抑制剤、カビ抑制剤、白カビ抑制剤、抗ウィルス剤、乾燥剤、耐汚染剤、汚れ放出剤、布地リフレッシュ剤及び洗いたて感維持剤、塩素漂白臭気抑制剤、染料固定剤、染料移染防止剤、色保持剤、光学的増白剤類、色復元／再生剤、抗退色剤、白色増強剤、抗磨耗剤、耐磨耗剤、布地一体化剤、摩耗防止剤、けば立ち防止剤、抑泡剤、消泡剤、紫外線保護剤、日褪せ阻害剤、抗アレルギー剤、酵素、防水剤、布地快適剤、耐収縮剤、耐伸剤、伸縮回復剤、スキンケア剤、グリセリン、及び天然活性物質、抗菌活性物質、制汗剤活性物質、カチオン性ポリマー、染料、並びにこれらの混合物が挙げられ得る。有益剤は、香料原料を含み得る。
【００７０】
封入体は、香料原料を含むコアと、メラミンホルムアルデヒド及び／又は架橋メラミンホルムアルデヒドを含む壁とを含み得、壁は、壁の外表面上にコーティングを更に含み、コーティングはポリビニルアルコールなどの効率ポリマーを含む。
【００７１】
適当な封入体は、Ｅｎｃａｐｓｙｓ社（米国、ウイスコンシン州アップルトン）から入手することができる。洗剤組成物は、異なる封入体の混合物、例えば、異なる壁材料及び／又は有益剤を有する封入体の混合物を含み得る。
【００７２】
本洗剤組成物は、ホルムアルデヒド捕捉剤を更に含んでもよい。このような捕捉剤は、特定の封入体、特にホルムアルデヒドを含みかつ／又はホルムアルデヒドを放出する封入体において、又は封入体と使用するうえで有用であり得る。適当なホルムアルデヒドスカベンジャーとしては、亜硫酸水素ナトリウム、尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン、又はこれらの混合物が挙げられ得る。
【００７３】
カチオン性付着補助ポリマー
本開示の液体洗剤組成物は付着補助剤を含み得る。付着補助ポリマーは、非多糖類付着補助ポリマーであり得る。付着補助ポリマーは、カチオン性付着補助ポリマーであり得る。理論に束縛されるものではないが、付着補助ポリマーは、布地上に封入体を付着及び保持するのに役立つよう、アニオン性界面活性剤及び／又は脂肪酸での分離相を形成することによって、標的表面（例えば布地）への封入体の付着を促進する簡明にするために、本明細書で使用するとき、カチオン性付着補助ポリマーは、ベースの洗剤混合物に封入体を添加する前に封入体上のコーティング（例えば、封入体プレミックス中に存在するコーティング）として存在し得る効率ポリマーとは異なるポリマーであることが理解されよう。
【００７４】
カチオン性ポリマーは、布地の白さ及び／又は洗浄の損失に寄与することが知られており、このことが、こうしたポリマーのより幅広い使用を制限する要因となっている。しかしながら、出願者らは、本明細書に記載されているポリマーのカチオン電荷及び分子量を特定の範囲内で制御することによって、布地の白さ／洗浄損失を最小限に抑えることができ、特に、本明細書に開示される界面活性剤系の存在下で、従来のカチオン性ポリマーに比べて、封入体付着効果が維持又は改善されることを見出した。
【００７５】
更に、製品粘度は、カチオン性ポリマーの分子量及びカチオン成分により影響を受け得る。また、本開示のポリマーの分子量は、製品粘度への影響を最小限にし、高分子量及び／又は広い分子量分布に伴う製品不安定性及びねばつきを回避するように選択される。よって、本開示のカチオン性ポリマーは、典型的には、比較的高い電荷密度及び比較的低い分子量を特徴とする。
【００７６】
布地ケアでの使用に一般的な多くのカチオン性ポリマーは、例えば、１０００キロダルトン以上の高い分子量を有する。これに対して、本明細書に記載のカチオン性ポリマーは、比較的低い重量平均分子量を有する。このカチオン性ポリマーは、約５キロダルトン〜約２００キロダルトンの重量平均分子量を有し得る。カチオン性ポリマーは、約１０キロダルトンから、又は約１５キロダルトンから、又は約１８キロダルトンから、又は約２０キロダルトンから、約２００キロダルトンまで、又は約１００キロダルトンまで、又は約５０キロダルトンまで、又は約３０キロダルトンまでの重量平均分子量を有し得る。重量平均分子量を測定する方法は、以下の試験方法の項で提供される。
【００７７】
洗剤組成物において洗浄及び／又は白さ効果を維持するためには、比較的低いカチオン電荷密度（例えば４ｍｅｑ／ｇ未満）を有するカチオン性ポリマーを採用することが、当業者には知られている。しかしながら驚くべきことに、本組成物は、良好な洗浄及び／又は白さ効果を維持しながら、比較的高い電荷密度（例えば４ｍｅｑ／ｇ超）のカチオン性ポリマーを使用することができることが見出された。このため、本明細書に記載のカチオン性ポリマーは、約４ｍｅｑ／ｇから、又は約５ｍｅｑ／ｇから、又は約５．２ｍｅｑ／ｇから、約１２ｍｅｑ／ｇまで、又は約１０ｍｅｑ／ｇまで、又は約８ｍｅｑ／ｇまで、又は約７ｍｅｑ／ｇまで、又は約６．５ｍｅｑ／ｇまでのカチオン電荷密度を特徴とし得る。本明細書に記載のカチオン性ポリマーは、約４ｍｅｑ／ｇ〜約１２ｍｅｑ／ｇ、又は約４．５ｍｅｑ／ｇ〜約７ｍｅｑ／ｇのカチオン電荷密度を特徴とし得る。カチオン電荷密度が高すぎると、カチオン性ポリマーの粘度によって、配合の問題を生じる場合があるため、カチオン電荷密度には、ある上限が望ましいことがある。
【００７８】
洗剤組成物は、洗剤組成物の約０．０１重量％から約２重量％まで、若しくは約１．５重量％まで、若しくは約１重量％まで、若しくは約０．７５重量％まで、若しくは約０．５重量％まで、若しくは約０．３重量％まで、又は約０．０５重量％〜約０．２５重量％のカチオン性ポリマーを含み得る。
【００７９】
本明細書に記載のカチオン性ポリマーは、任意のシリコーン由来の構造単位を、実質的に含まないか、又は全く含まなくてよい。このような制限は、洗剤組成物自体にシリコーンを含有させることを除外するものではなく、また本明細書に記載のカチオン性ポリマーが、このような洗剤組成物中又は洗浄液中に含まれるシリコーンと錯体を形成することを除外するものでもないことが、理解されよう。
【００８０】
本開示の組成物は、特に、組成物が、セルラーゼ、アミラーゼ、リパーゼ、及び／又はプロテアーゼなどの酵素組成物を含む場合は、多糖類系カチオン性ポリマー（例えばカチオン性ヒドロキシエチレンセルロース）を実質的に含まなくてよい。このような多糖類系ポリマーは、典型的に、セルラーゼ酵素による分解を受けやすく、このセルラーゼ酵素はしばしば、市販されている酵素中に微量存在する。よって、多糖類系カチオン性ポリマーを含む組成物は典型的に、たとえセルラーゼが意図的に添加されていない場合であっても、概して酵素との配合が不可である。したがって、いくつかの態様において、本発明の組成物は、非多糖類系カチオン性ポリマーである。
【００８１】
カチオン性ポリマーは、構造単位を含み得る。構造単位は、非イオン性、カチオン性、アニオン性、又はこれらの混合物であり得る。本明細書に記載のポリマーは、非カチオン性の構造単位を含んでもよいが、このポリマーは依然として、正味カチオン電荷を有することを特徴とする。
【００８２】
カチオン性ポリマーは、１つのタイプのみの構造単位からなっていてよく、すなわち、ポリマーはホモポリマーである。カチオン性ポリマーは、２つのタイプの構造単位からなっていてよく、すなわち、ポリマーはコポリマーである。カチオン性ポリマーは、３つのタイプの構造単位からなっていてよく、すなわち、ポリマーはターポリマーである。カチオン性ポリマーは、２つ以上のタイプの構造単位を含み得る。構造単位は、第１の構造単位、第２の構造単位、第３の構造単位、などとして記述することができる。構造単位（又はモノマー）は、不規則な形式、又はブロックごとの形式で、カチオン性ポリマーに組み込まれ得る。
【００８３】
カチオン性ポリマーは、非イオン性構造単位を含み得る。カチオン性ポリマーは、約５ｍｏｌ％〜約６０ｍｏｌ％、又は約１５ｍｏｌ％〜約４０ｍｏｌ％、又は約１５ｍｏｌ％〜約３０ｍｏｌ％の非イオン性構造単位を含み得る。いくつかの態様において、カチオン性ポリマーは、（メタ）アクリルアミド、ビニルホルムアミド、Ｎ，Ｎ−ジアルキルアクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリオールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及びこれらの混合物からなる群から選択されるモノマーから誘導される非イオン性構造単位を含む。
【００８４】
カチオン性ポリマーは、カチオン性構造単位を含み得る。カチオン性ポリマーは、約２０ｍｏｌ％〜約１００ｍｏｌ％、又は約３０ｍｏｌ％〜約１００ｍｏｌ％、又は約５０ｍｏｌ％〜約１００ｍｏｌ％、又は約５５ｍｏｌ％〜約９５ｍｏｌ％、又は約６０ｍｏｌ％〜約８５ｍｏｌ％、又は約７０ｍｏｌ％〜約８５ｍｏｌ％のカチオン性構造単位を含み得る。
【００８５】
カチオン性ポリマーは、カチオン性モノマーから誘導されるカチオン性構造単位を含み得る。カチオン性モノマーは、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、メタクリル（methacyl）アミドアルキルトリアルキルアンモニウム塩、アクリルアミドアルキル（alkyll）トリアルキルアンモニウム（amminium）塩、ビニルアミン、ビニルイミン、ビニルイミダゾール、第四級化ビニルイミダゾール、ジアリルジアルキルアンモニウム塩、及びこれらの混合物からなる群から選択され得る。
【００８６】
カチオン性構造単位は、ジアリルジメチルアンモニウム塩（ＤＡＤＭＡＳ）、Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリメチルアンモニウム塩、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物からなる群から選択され得る。
【００８７】
カチオン性ポリマーは、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から誘導されるカチオン性モノマーを含み得る。典型的に、ＤＡＤＭＡＳ、ＡＰＴＡＳ、及びＭＡＰＴＡＳは、塩化物を含む塩である（すなわちＤＡＤＭＡＣ、ＡＰＴＡＣ、及び／又はＭＡＰＴＡＣ）。
【００８８】
カチオン性ポリマーは、アニオン性構造単位を含み得る。カチオン性ポリマーは、約０．０１ｍｏｌ％〜約１５ｍｏｌ％、又は約０．０５ｍｏｌ％〜約１０ｍｏｌ％、又は約０．１ｍｏｌ％〜約５ｍｏｌ％、又は約１ｍｏｌ％〜約４ｍｏｌ％のアニオン性構造単位を含み得る。ポリマーは、アニオン性構造単位を０％含んでよく、すなわちアニオン性構造単位を実質的に含まない。アニオン性構造単位は、アクリル酸（ＡＡ）、メタクリル酸、マレイン酸、ビニルスルホン酸、スチレンスルホン酸、アクリルアミドプロピルメタンスルホン酸（ＡＭＰＳ）、及びそれらの塩、並びにこれらの混合物からなる群から選択されるアニオン性モノマーから誘導され得る。
【００８９】
カチオン性ポリマーは、アクリルアミド／ＤＡＤＭＡＳ、アクリルアミド／ＤＡＤＭＡＳ／アクリル酸、アクリルアミド／ＡＰＴＡＳ、アクリルアミド／ＭＡＰＴＡＳ、アクリルアミド／ＱＶｉ、ポリビニルホルムアミド／ＤＡＤＭＡＳ、ポリ（ＤＡＤＭＡＳ）、アクリルアミド／ＭＡＰＴＡＳ／アクリル酸、アクリルアミド／ＡＰＴＡＳ／アクリル酸、及びこそれらの混合物から選択される。
【００９０】
組成物はカチオン性ポリマーを含み得、このカチオン性ポリマーは、（ｉ）約５ｍｏｌ％〜約５０ｍｏｌ％、又は約１５ｍｏｌ％〜約３０ｍｏｌ％の、（メタ）アクリルアミドから誘導される第１の構造単位と、（ｉｉ）約５０ｍｏｌ％〜約９５ｍｏｌ％、又は約７０ｍｏｌ％〜約８５ｍｏｌ％の、カチオン性モノマーから誘導される第２の構造単位と、を含み、このカチオン性モノマーはＤＡＤＭＡＣから誘導されてよく、このカチオン性ポリマーは、約１５キロダルトン〜約５０キロダルトンの重量平均分子量により特徴付けられる。
【００９１】
外部構造化剤系
本開示の液体洗剤組成物は、外部構造化剤系を含み得る。構造化剤系は、例えば、注ぐのに好適な粘度、相安定性、及び／又は懸濁能力を提供するために、組成物に対して十分な粘度を提供するために使用することができる。外部構造化剤系は特に、封入体を懸濁させるのに有用であり得る。
【００９２】
本開示の組成物は、０．０１重量％〜５重量％、又は更には０．１重量％〜１重量％の外部構造化剤系を含み得る。外部構造化剤系は、以下の（ｉ）及び（ｉｉ）からなる群から選択されてもよい：
（ｉ）非ポリマー系結晶質のヒドロキシ官能性構造化剤及び／又は
（ｉｉ）ポリマー系構造化剤。
【００９３】
このような外部構造化剤系は、組成物の洗浄性界面活性剤の任意の構造化効果とは独立に、すなわちこのような効果以外により、液体洗濯洗剤組成物を安定化させるのに十分な降伏応力又は低せん断粘度を付与することができるようなものであってよい。これらは、液体洗濯洗剤組成物に２１℃、２０ｓ−１にて１〜１５００ｃｐｓの高せん断粘度及び５０００ｃｐｓを超える低せん断粘度（２１℃、０．０５ｓ−１にて）を付与することができる。粘度は、直径４０ｍｍ及びギャップサイズ５００μｍで、平板の鋼製スピンドルを用いるＴＡ  ｉｎｓｔｒｕｍｅｎｔｓ製のＡＲ  ５５０レオメータを使用して測定される。２０ｓ−１での高せん断粘度、及び０．５ｓ−１での低せん断粘度は、２１℃で３分間の０．１ｓ−１〜２５ｓ−１の対数せん断速度掃引から得ることができる。
【００９４】
本組成物は、約０．０１〜約１重量％の非ポリマー結晶質のヒドロキシル官能性構造化剤を含んでもよい。このような非ポリマー系結晶質のヒドロキシル官能性構造化剤は、結晶化可能なグリセリドを含んでもよく、洗濯洗剤組成物の最終的な１回容量への分散を補助するためにこのグリセリドを事前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【００９５】
本洗剤組成物は、約０．０１重量％〜５重量％の天然由来及び／又は合成のポリマー系構造化剤を含んでもよい。好適な天然に誘導されたポリマー系構造化剤としては：セルロース繊維、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。好適なセルロース繊維は、約５０〜約１００，０００、好ましくは約３００〜約１０，０００のアスペクト比（長さ対幅比）を有する繊維を含んでよく、かつ、鉱物繊維、発酵由来セルロース繊維、単子葉又は双子葉植物由来の繊維（例えば野菜、果実、種子、茎、葉及び／又は木材由来セルロース繊維）、及びこれらの混合物を含み得る。市販の例は、ＦＭＣ製のＡｖｉｃｅｌ（登録商標）、Ｆｉｂｅｒｓｔａｒ製のＣｉｔｒｉ−Ｆｉ、Ｈｅｒｂａｆｏｏｄ製のＨｅｒｂａｃｅｌ、及びＣＰ  Ｋｅｌｃｏ製のＣｅｌｌｕｌｏｎ  ＰＸである。好適な合成ポリマー系構造化剤としては、ポリカルボキシレート、ポリアクリレート及び疎水変性ポリアクリレート、疎水変性エトキシル化ウレタン、疎水変性非イオン性ポリオール、及びこれらの混合物が挙げられる。ポリカルボキシレートポリマーは、ポリアクリレート、ポリメタクリレート、又はこれらの混合物であってよい。ポリアクリレートは、不飽和一炭酸又は二炭酸と、（メタ）アクリル酸のＣ１〜Ｃ３０アルキルエステルとのコポリマーであり得る。このようなコポリマーは、商品名Ｃａｒｂｏｐｏｌ（登録商標）Ａｑｕａ  ３０でＮｏｖｅｏｎ  ｉｎｃから入手可能である。
【００９６】
添加剤
本開示の洗剤組成物は、布地ケア効果を提供する添加剤などの、他の好適な添加剤を含み得る。本開示の組成物は、１つの特定の界面活性剤が豊富に含まれる界面活性剤系を有し得るため、そのような添加剤は、より幅広い洗浄プロファイル、又はその他の消費者に関連する効果（例えば柔らかさ効果など）を提供するのに、特に望ましい可能性がある。好適な添加剤には、酵素、増白剤、洗浄用ポリマー（例えばアルコキシル化ポリアルキレンイミン）、汚れ放出ポリマー、ポリエーテルアミン、色相染料、及びこれらの組み合わせが挙げられる。典型的な使用量レベルは、低い場合は組成物の０．００１重量％（光学的増白剤又は色相染料の場合）から、組成物の５０重量％以下（ビルダー又は溶媒）までの範囲にわたる。いくつかの好適な添加剤については、以下でより詳細に議論される。
【００９７】
酵素
本開示の洗浄組成物は、酵素を含み得る。布地の洗濯の際に遊離する染料移行を防止するため、並びに布地を修復するための、タンパク質系、炭水化物系、又はトリグリセリド系の染みの基質からの除去を含む多様な目的のために、酵素を洗浄組成物に含めることができる。好適な酵素としては、植物、動物、細菌、真菌、及び酵母起源質のような任意の好適な起源物質からのプロテアーゼ、アミラーゼ、リパーゼ、カルボヒドラーゼ、セルラーゼ、オキシダーゼ、ペルオキシダーゼ、マンナナーゼ、及びこれらの混合物が挙げられる。本明細書に記載の洗浄組成物中で使用され得る他の酵素としては、ヘミセルラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルカナーゼ、アラビノシダーゼ、ヒアルロニダーゼ、コンドロイチナーゼ、ラッカーゼ、又はこれらの混合物が挙げられる。酵素の選択は、ｐＨ活性及び／又は安定性の最適条件、熱安定性、及び活性洗剤、ビルダーなどに対する安定性のような要因に影響される。
【００９８】
組成物は、少なくとも２つの、又は少なくとも３つの、又は少なくとも４つの酵素を含み得る。組成物は、少なくともアミラーゼ及びプロテアーゼを含み得る。
【００９９】
マンナナーゼ、プロテアーゼ、及びセルラーゼは、それぞれ、Ｍａｎｎａｗａｙ、Ｓａｖｉｎａｓｅ、及びＣｅｌｌｕｃｌｅａｎの商標名でＮｏｖｏｚｙｍｅｓ（Ｄｅｎｍａｒｋ）から購入することができ、これらはそれぞれ、１グラム当たり４ｍｇ、１５．８ｍｇ、及び１５．６ｍｇの活性酵素を提供し得る。
【０１００】
市販の酵素は、酵素混合物の１％以下で、微量のセルラーゼを含み得るが、ただしセルラーゼは酵素混合物中の支配的又は目的の酵素ではない。したがって、本開示の洗剤組成物は、例えば微量濃度で、例えば組成物の０．００５重量％以下の濃度で存在するセルラーゼを含み得る。典型的には、セルラーゼは、特定のカチオン性多糖類ポリマー（例えばカチオン性ヒドロキシエチルセルロース）のようなセルロース／多糖類系分子と相溶性ではない。セルラーゼ不純物が存在する場合、カチオン性ヒドロキシエチルセルロースポリマーは、酵素に作用され、付着補助剤としての効果がなくなる。カチオン性ヒドロキシエチルセルロースと相溶性であるようにプロテアーゼ混合物から微量のセルラーゼを除去することは、酵素のコストがより高くなり、セルラーゼ不純物を含む洗剤組成物を、カチオン性ヒドロキシエチルセルロースを含む洗剤組成物と再混合するプロセス中に、無駄を回避することが困難になる。よって、微量のセルラーゼを含有する酵素混合物と相溶性の、カチオン性付着補助剤を含む洗剤組成物を提供することが有用である。
【０１０１】
酵素は、通常、「洗浄に有効な量」を提供するのに十分な濃度で洗浄組成物中に組み込まれる。語句「洗浄に有効な量」は、汚れた素材（例えば、布地、硬質表面など）に対して、洗浄、染み除去、汚れ除去、増白、脱臭、又は洗いたて感の改善効果を生じることが可能な量を指す。いくつかの態様において、洗剤組成物は、洗剤組成物の約０．０００１重量％〜約５重量％、又は約０００５重量％〜約３重量％、又は約０．００１重量％〜約２重量％の活性酵素を含み得る。酵素は、別個の単一原料として、又は２つ以上の酵素の混合物として、加えることができる。
【０１０２】
増白剤
本明細書に記載の洗剤組成物は、光学的増白剤を含み得る。光学的増白剤は、蛍光増白剤としても知られ、当該技術分野において既知である。本発明の洗剤組成物は、組成物の約０．００５重量％から、又は約０．０１重量％から、約５重量％まで、又は約１重量％まで、又は約０．５重量％までの増白剤を含んでもよい。
【０１０３】
光学的増白剤は、スチルベン、ピラゾリン、クマリン、カルボン酸、メチンシアニン、ジベンゾチオフェン−５，５−ジオキシド、アゾール、５員及び６員複素環、ベンゼン又はこれらの誘導体、及びこれらの混合物を含む化合物から選択される実質的に不溶性の化合物であり得る。増白剤は、ベンゾキサゾール（benzoxozol）、ピラゾール、トリアゾール、トリアジン、イミダゾール、フラン基又はこれらの混合物を含む。
【０１０４】
好適な増白剤には、４，４’−ビス｛［４−アニリノ−６モルフォリノ−ｓ−トリアジン−２−イル］アミノ｝−２，２’−スチルベンジスルホネート二ナトリウム、４，４’−ビス−（２−スルホスチル）ビフェニル二ナトリウム、及び、４，４’−ビス［｛４，６−ジ−アニリノ−ｓ−トリアジン−２−イル］−アミノ｝−２，２’スチルベンジスルホネート二ナトリウムが挙げられる。市販されている増白剤は、Ｃｉｂａ  Ｇｅｉｇｙから販売されているＢｒｉｇｈｔｅｎｅｒ  １５、Ｂｒｉｇｈｔｅｎｅｒ  ３６、及びＢｒｉｇｈｔｅｎｅｒ  ４９が挙げられる。
【０１０５】
洗浄ポリマー
組成物は、洗浄ポリマーを含み得る。例えば、洗剤組成物は、布地及び表面からグリース粒子を除去するように、親水性と疎水性とが釣り合い得る両親媒性アルコキシル化グリース洗浄ポリマーを含んでよい。両親媒性アルコキシル化グリース洗浄ポリマーは、コア構造と、そのコア構造に結合した複数のアルコキシレート基とを含んでもよい。これらは例えば、アルコキシル化ポリアルキレンイミンを含み得る。このような化合物としては、エトキシル化ポリエチレンイミン、エトキシル化ヘキサメチレンジアミン、及びこれらを硫酸化したものが挙げられるが、これらに限定されない。ポリプロポキシル化誘導体も包含させることができる。多種多様なアミン及びポリアルキレンイミンを、様々な程度にアルコキシル化することができる。有用な例としては、ＮＨ当たり２０ＥＯ基までエトキシル化されている６００ｇ／モルのポリエチレンイミンコアがあり、ＢＡＳＦより入手可能である。アルコキシル化ポリアルキレンイミンは、内側ポリエチレンオキシドブロックと、外側ポリプロピレンオキシドブロックとを有し得る。本明細書に記載の洗剤組成物は、洗剤組成物の約０．１重量％〜約１０重量％、いくつかの例では、約０．１重量％〜約８重量％、他の例では、約０．１重量％〜約６重量％のアルコキシル化ポリアミンを含み得る。
【０１０６】
汚れ放出ポリマー（ＳＲＰ）
本開示の洗剤組成物は、汚れ放出ポリマーを含み得る。いくつかの態様において、洗剤組成物は、以下の構造（Ｉ）、（ＩＩ）、又は（ＩＩＩ）：
（Ｉ）      −［（ＯＣＨＲ１−ＣＨＲ２）ａ−Ｏ−ＯＣ−Ａｒ−ＣＯ−］ｄ
（ＩＩ）    −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立に、Ｈ又はＣ１〜Ｃ１８のｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である］のうちの１つにより定義される構造を有する１種以上の汚れ放出ポリマーを含んでもよい。
【０１０７】
好適な汚れ放出ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ放出ポリマーである。他の好適な汚れ放出ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１０８】
アミン
本明細書に記載の洗浄組成物は、アミンを含有し得る。アミンの非限定例としては、エーテルアミン、環状アミン、ポリアミン、オリゴアミン（例えばトリアミン、ジアミン、ペンタアミン、テトラアミン）、又はこれらの組み合わせが挙げられるが、これらに限定されない。本明細書に記載の組成物は、オリゴアミン、エーテルアミン、環状アミン、及びこれらの組み合わせからなる群から選択されるアミンを含み得る。
【０１０９】
この洗浄組成物は、組成物の約０．１重量％〜約１０重量％、又は０．２重量％〜約５重量％、又は約０．５重量％〜約４重量％、又は約０．１重量％〜約４重量％、又は約０．１重量％〜約２重量％のアミンを含み得る。このアミンは、それが使用される洗浄媒体のｐＨに依存してプロトン化に供され得る。
【０１１０】
好適なオリゴアミンの例としては、テトラエチレンペンタミン、トリエチレンテトラアミン、ジエチレントリアミン、及びこれらの混合物が挙げられる。エーテルアミン及び環状アミンについては、以下でより詳細に説明する。
【０１１１】
好適なエーテルアミンは、式（Ａ）で表すことができる。
【０１１２】
【化１】
2019515085.tif 000004
式中、各Ｒ基は独立に、Ｈ、メチル基、及びエチル基からなる群から選択され、少なくとも１つのＲ基がメチル基であり、ｘは約２〜約３００の範囲であり、ｘは、ポリマーを構成する繰り返し単位又は基礎構築ブロックの平均数を示し、ｘは整数又は分数であり得、ｘは約２〜約２０、又は約２〜約１０の範囲であり得る。
【０１１３】
好適なエーテルアミンは、式（Ｉ）で表すことができる。
【０１１４】
【化２】
2019515085.tif 000005
式中、Ｒ１〜Ｒ６のそれぞれは、独立に、Ｈ、アルキル、シクロアルキル、アリール、アルキルアリール、又はアリールアルキルから選択され、Ｒ１〜Ｒ６のうちの少なくとも１つはＨとは異なり、典型的には、Ｒ１〜Ｒ６のうちの少なくとも１つは、２〜８個の炭素原子を有するアルキル基であり、Ａ１〜Ａ６のそれぞれは、独立に、２〜１８個の炭素原子を有する直鎖又は分枝鎖のアルキレンから選択され、Ｚ１〜Ｚ２のそれぞれは、独立に、ＯＨ又はＮＨ２から選択され、Ｚ１〜Ｚ２のうちの少なくとも１つは、ＮＨ２であり、典型的には、Ｚ１及びＺ２のそれぞれはＮＨ２であり、ｘ＋ｙの合計は、約２〜約２００、又は約２〜約２０、又は約２〜約１０、又は約２〜約８、又は約３〜約８、又は約４〜約６の範囲内であり、ｘ≧１かつｙ≧１であり、ｘ１＋ｙ１の合計は、約２〜約２００、又は約２〜約２０、又は約２〜約１０、又は約２〜約８、又は約３〜約８、又は約２〜約４の範囲内であり、ｘ１≧１かつｙ１≧１である。
【０１１５】
式（Ｉ）のエーテルアミンにおいて、Ａ１〜Ａ６のそれぞれは、独立に、エチレン、プロピレン、又はブチレンから選択され得る。典型的に、Ａ１〜Ａ６のそれぞれはプロピレンである。Ａ１及びＡ６のそれぞれは、独立に、２〜１８個の炭素原子、２〜１０個の炭素原子、又は２〜５個の炭素原子を有する直鎖アルカンジイル基から選択され得、Ａ２、Ａ３、Ａ４、及びＡ５のそれぞれは、独立して、２〜１８個の炭素原子、又は２〜１０個の炭素原子、又は２〜５個の炭素原子を有する直鎖又は分枝鎖のアルカンジイル基から選択され得る。式（Ｉ）のエーテルアミンに関して、Ｒ１、Ｒ２、Ｒ５、及びＲ６のそれぞれはＨであってよく、Ｒ３及びＲ４のそれぞれは、独立に、Ｃ１〜Ｃ１６アルキル又はアリールから選択されてよい。典型的に、Ｒ１、Ｒ２、Ｒ５、及びＲ６のそれぞれはＨであってよく、Ｒ３及びＲ４のそれぞれは、独立に、ブチル基、エチル基、メチル基、プロピル基、又はフェニル基から選択されてよい。式（Ｉ）のエーテルアミンに関して、Ｒ３はエチル基であってよく、Ｒ１、Ｒ２、Ｒ５、及びＲ６のそれぞれはＨであってよく、Ｒ４はブチル基であってよい。式（Ｉ）のエーテルアミンに関して、Ｒ１及びＲ２のそれぞれはＨであってよく、Ｒ３、Ｒ４、Ｒ５、及びＲ６のそれぞれは、独立に、エチル基、メチル基、プロピル基、ブチル基、フェニル基、又はＨから選択されてよい。
【０１１６】
好適なエーテルアミンは、式（ＩＩ）で表すことができる。
【０１１７】
【化３】
2019515085.tif 000006
Ｒ７〜Ｒ１２のそれぞれは、独立に、Ｈ、アルキル、シクロアルキル、アリール、アルキルアリール、又はアリールアルキルから選択され、Ｒ７〜Ｒ１２のうちの少なくとも１つはＨとは異なり、典型的には、Ｒ７〜Ｒ１２のうちの少なくとも１つは、２〜８個の炭素原子を有するアルキル基であり、Ａ７〜Ａ９のそれぞれは、独立に、２〜１８個の炭素原子を有する直鎖又は分枝鎖のアルキレンから選択され、Ｚ３〜Ｚ４のそれぞれは、独立に、ＯＨ又はＮＨ２から選択され、Ｚ３〜Ｚ４のうちの少なくとも１つは、ＮＨ２であり、典型的には、Ｚ３及びＺ４のそれぞれはＮＨ２であり、ｘ＋ｙの合計は、約２〜約２００、又は約２〜約２０、又は約２〜約１０、又は約２〜約８、又は約３〜約８、又は約２〜約４の範囲内であり、ｘ≧１かつｙ≧１であり、ｘ１＋ｙ１の合計は、約２〜約２００、又は約２〜約２０、又は約２〜約１０、又は約２〜約８、又は約３〜約８、又は約２〜約４の範囲内であり、ｘ１≧１かつｙ１≧１である。
【０１１８】
式（ＩＩ）のエーテルアミンに関して、Ａ７〜Ａ９のそれぞれは、独立に、エチレン、プロピレン、又はブチレンから選択され得る。典型的にＡ７〜Ａ９のそれぞれはプロピレンであってよい。Ａ９は、２〜１８個の炭素原子、又は２〜１０個の炭素原子、又は２〜５個の炭素原子を有する直鎖アルカンジイル基から選択され得、Ａ７及びＡ８のそれぞれは、独立に、２〜１８個の炭素原子、又は２〜１０個の炭素原子、又は２〜５個の炭素原子を有する直鎖又は分枝鎖のアルカンジイル基から選択され、式（ＩＩ）のエーテルアミンに関して、Ｒ７、Ｒ８、Ｒ１１、及びＲ１２のそれぞれはＨであってよく、Ｒ９及びＲ１０のそれぞれは、独立に、Ｃ１〜Ｃ１６アルキル又はアリールから選択されてよく、典型的に、Ｒ７、Ｒ８、Ｒ１１、及びＲ１２のそれぞれはＨであってよく、Ｒ９及びＲ１０のそれぞれは、独立に、ブチル基、エチル基、メチル基、プロピル基、又はフェニル基から選択されてよい。式（ＩＩ）のエーテルアミンに関して、Ｒ９はエチル基であり、Ｒ７、Ｒ８、Ｒ１１、及びＲ１２のそれぞれはＨであってよく、Ｒ１０はブチル基であってよい。式（ＩＩ）のエーテルアミンに関して、Ｒ７及びＲ８のそれぞれはＨであってよく、Ｒ９、Ｒ１０、Ｒ１１、及びＲ１２のそれぞれは、独立に、エチル基、メチル基、プロピル基、ブチル基、フェニル基、又はＨから選択されてよい。
【０１１９】
好適なエーテルアミンは、米国特許公開第２０１４／０２９６１２７（Ａ１）号及び同第２０１５／００５７２１２（Ａ１）号に更に記述されている。
【０１２０】
好適な環状アミンは、式（Ｂ）で表すことができる：
【０１２１】
【化４】
2019515085.tif 000007
【０１２２】
置換基「Ｒ」は、独立に、ＮＨ２、Ｈ、及び１〜１０個の炭素原子の直鎖、分枝鎖アルキル又はアルケニルから選択され得る。本発明の目的のため、「Ｒ」は、Ｒ１〜Ｒ５を含む。「Ｒ」のうちの少なくとも１つは、ＮＨ２である必要がある。残りの「Ｒ」は、独立に、ＮＨ２、Ｈ、及び１〜１０個の炭素原子を有する直鎖、分枝鎖のアルキル又はアルケニルから選択され得る。ｎは０〜３であるか、又はｎは１である。
【０１２３】
色相剤
組成物は、布地色相剤（色合い剤、青味剤、又は白化剤と称される場合もある）を含み得る。典型的には、色相剤は、布地に青又は紫の色合いをもたらす。色相剤は、単独又は組み合わせのいずれかで使用して、特定の色相の色合いを作り出し、かつ／又は異なるタイプの布地に色合いをつけることができる。これは、例えば赤と緑−青の染料とを混合して青又は紫の色合いを生じさせることにより提供され得る。色相剤は、任意の既知の化学的部類の染料から選択されてよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１２４】
他の添加剤
本明細書に記載の組成物は、洗濯プロセスに好適であり得る他の添加材料を含み得る。好適な添加剤には、ビルダー、キレート剤、移染阻害剤、分散剤、酵素安定剤、触媒材料、漂白剤、漂白剤触媒、漂白活性化剤、ポリマー分散剤、汚れ除去／再付着防止剤（例えばＰＥＩ６００  ＥＯ２０（ｅｘ  ＢＡＳＦ））、ポリマー汚れ放出剤、ポリマー分散剤、ポリマーグリース洗浄剤、増白剤、抑泡剤、染料、香料、構造弾性化剤、布地柔軟剤、キャリア、充填剤、ヒドロトロープ、有機溶剤、抗微生物剤及び／又は防腐剤、中和剤及び／又はｐＨ調整剤、加工助剤、乳白剤、真珠光沢剤、顔料、又はこれらの混合物が挙げられる。
【０１２５】
シリコーンは、布地の洗浄及び／又は白さの損失に寄与し得る。したがって、洗剤組成物は、０．３％未満のシリコーンを含み得る。洗剤組成物は、アミノシリコーンなどのシリコーンを実質的に含まなくてもよい（例えば、０．１％未満、０．０１％未満、又は更には０％）。シリコーンは、抑泡剤として洗剤中に存在し得ることが認識される。このため、洗剤は、シリコーンを低濃度で含むことがあり、例えばこの濃度は、少なくともある程度の抑泡効果を提供するのに十分であるが、消費者が気付く可能性のある柔軟性効果を提供するには十分ではない。
【０１２６】
洗剤組成物の製造方法
本開示の洗剤組成物は、バッチ式又は連続的ループ方法を含む、従来の方法で製造することができる。外部構造化剤系を使用した場合、封入体を添加した後に、外部構造化剤系がベース洗剤に添加され、それから混合することができる。
【０１２７】
洗剤組成物の使用方法
本開示は、布地などの表面を前処理又は処理する方法に関するものであり、この方法は、表面（例えば、布地）を、本明細書に記載の洗剤組成物と接触させる工程を含む。接触工程は、水の存在下で起こってよく、水と洗剤組成物とで洗浄液を形成する。この接触は、洗浄工程中に起こってよく、この接触工程の前、工程中、又は工程の後に水を加えて、洗浄液を形成することができる。
【０１２８】
洗浄工程に続いて、すすぎ工程を行うことができる。すすぎ工程の間、布地を、布地柔軟剤組成物と接触させてもよく、この布地柔軟剤組成物は、布地柔軟化活性物質を含む。布地を布地柔軟剤組成物と接触させる工程は、水の存在下で起こってよく、例えば全自動洗濯機のすすぎサイクル中に起こり得る。
【０１２９】
任意の好適な洗濯機を用いてよく、例えば、トップロード式又はフロントロード式の全自動洗濯機を用いることができる。当業者は、関連の洗浄作業に好適な洗濯機を認識するであろう。本開示の組成物は、布地用添加剤、すすぎ補助剤等の他の組成物と組み合わせて使用してよい。
【０１３０】
本開示の柔軟剤組成物は、液体、ゲル、発泡体、又は固体（ビーズなど、例えば米国特許第７８６７９６８号に記述されているもの、又は乾燥機用バー）などの任意の好適な形態をとってよく、あるいは、この組成物は、例えば乾燥機シート（例えば米国特許第５，１０２，５６４号、同第５，５７８，２３４号、同第５，４７０，４９２号、国際公開第１９９９／０１５６１１号、米国特許出願第２００７／０２７０３２７（Ａ１）号に記述されているもの）などの柔軟性の基材と組み合わせて使用してもよく、これらは各々参照により本明細書に組み込まれる。
【０１３１】
典型的には、柔軟剤組成物は液体である。いくつかの態様において、柔軟剤組成物は、柔軟剤組成物の約６０重量％〜約９５重量％、好ましくは約６５重量％〜約９０重量％の水性液体キャリアを含む。好ましい水性キャリアは水であり、これは微量成分を含有し得る。
【０１３２】
好適な市販の布地柔軟剤も用いることができ、例えば、ＤＯＷＮＹ（登録商標）及びＬＥＮＯＲ（登録商標）（いずれもＴｈｅ  Ｐｒｏｃｔｅｒ  ＆  Ｇａｍｂｌｅ  Ｃｏｍｐａｎｙから入手可能）、並びにＳＮＵＧＧＬＥ（登録商標）（Ｔｈｅ  Ｓｕｎ  Ｐｒｏｄｕｃｔｓ  Ｃｏｒｐｏｒａｔｉｏｎから入手可能）を用いることができる。
【０１３３】
本明細書に記載の柔軟剤組成物は、布地柔軟化活性物質（「ＦＳＡ」）を含む。「布地柔軟化活性物質」又は「ＦＳＡ」なる用語は、最も広い意味で本明細書において使用され、布地を軟化するのに好適な任意の活性物質を含む。いくつかの態様において、柔軟剤組成物は、柔軟剤組成物の総重量に対して、約２％〜約２５％、又は約３％〜約１５％、又は更には約３％〜約７％の１つ以上の布地柔軟化活性物質を含む。いくつかの態様において、布地柔軟化活性物質は、カチオン性布地柔軟化活性物質である。典型的な布地柔軟化活性物質が下記に記述される。
【０１３４】
いくつかの態様において、本明細書に記載の方法のＦＳＡは、第四級アンモニウム化合物、シリコーン、脂肪酸又はエステル、糖、脂肪族アルコール、アルコキシル化脂肪族アルコール、ポリグリセロールエステル、油性糖誘導体、ワックスエマルション、脂肪酸グリセリド、又はこれらの混合物を含む。
【０１３５】
いくつかの態様において、ＦＳＡは、すすぎ工程での布地の柔軟化に好適な第四級アンモニウム化合物である。１つの実施形態では、ＦＳＡは、脂肪酸とアミノアルコールとの反応生成物から形成され、これはモノ−、ジ−及び１つの実施形態ではトリエステル化合物の混合物を生じる。いくつかの態様において、ＦＳＡは、モノアルキル第四級アンモニウム化合物、ジアルキル第四級アンモニウム化合物、ジアミド第四級化合物、ジエステル第四級アンモニウム化合物、モノエステル第四級アンモニウム化合物、又はこれらの組み合わせなどであるがこれらに限定されない、１つ以上の柔軟剤第四級アンモニウム化合物を含む。
【０１３６】
いくつかの態様において、ＦＳＡは次のものからなる群から選択される第四級アンモニウム化合物を含む：
ａ）直鎖第四級アンモニウム化合物、
ｂ）分枝鎖第四級アンモニウム化合物、
ｃ）環状第四級アンモニウム化合物、
ｄ）及びこれらの混合物、
この第四級アンモニウム化合物は、
０〜約９５、好ましくは０〜約３５、好ましくは０〜約２０のヨウ素価を有する、１つ以上のＣ１０〜Ｃ２２脂肪酸部分、Ｃ１６〜Ｃ２０脂肪酸部分、又はＣ１６〜Ｃ１８脂肪酸部分、
対イオン、並びに、
アルキル部分、エステル部分、アミド部分、及びエーテル部分からなる群から選択される、上記第四級アンモニウム化合物の窒素に共有結合する１つ以上の部分、
を含む。
【０１３７】
ヨウ素価（ＩＶ）は、１００ｇの脂肪酸の二重結合の反応により消費されるヨウ素の量（グラム）であり、ＩＳＯ  ３９６１の方法により測定される。
【０１３８】
代表的な第四級アンモニウム化合物としては、アルキル化第四級アンモニウム化合物、環状又は環式第四級アンモニウム化合物、芳香族第四級アンモニウム化合物、ジ第四級アンモニウム化合物、アルコキシル化第四級アンモニウム化合物、アミドアミン第四級アンモニウム化合物、エステル第四級アンモニウム化合物、及びこれらの混合物が挙げられるが、これらに限定されない。布地柔軟剤活性物質の例は、米国特許第７，３８１，６９７号第３段落４３行〜第４段落６７行、同第７１３５４５１号第５段落１行〜第１１段落４０行、及び米国特許出願第２０１１／０２３９３７７（Ａ１）号に記載されている。また、米国特許第４，４２４，１３４号、同第４，７６７，５４７号、同第５，５４５，３４０号、同第５，５４５，３５０号、同第５，５６２，８４９号、及び同第５，５７４，１７９号も参照のこと。
【０１３９】
上に開示した柔軟剤活性物質の組み合わせが、本発明での使用に好適であることが理解されるであろう。
【０１４０】
アニオンＡ−本明細書に記載されるカチオン性窒素塩において、任意の柔軟剤相溶性アニオンを含むアニオンＡ−は、電気的中性をもたらす。ほとんどの場合、これらの塩において電気的中性をもたらすために使用されるアニオンは、強酸、特にハロゲン化物、例えば塩化物、臭化物、又はヨウ化物由来である。しかし、メチルサルフェート、エチルサルフェート、アセテート、ホルメート、サルフェート、カーボネートなど、その他のアニオンを使用してもよい。一態様において、アニオンＡは、塩化物イオン又はメチルサルフェートを含み得る。いくつかの態様において、アニオンは、二重電荷を有し得る。この態様では、Ａ−が、基の半分を表す。
【０１４１】
いくつかの態様において、布地柔軟化活性物質は、上述のようにシリコーンを含む。好ましいシリコーンには、ポリジメチルシリコーン（ＰＤＭＳ）、アミノシリコーン、シリコーンポリエーテル、カチオン性シリコーン、シリコーンポリウレタン、シリコーンポリ尿素、又はこれらの混合物及びこれらの混合物が挙げられる。
【０１４２】
本明細書に記載される柔軟剤組成物は、柔軟剤補助剤を含んでもよい。柔軟剤組成物は、塩、カチオン性ポリマー、香料及び／又は香料送達系（封入体香料など）、本明細書に記載される他の柔軟剤補助剤、又はこれらの混合物から選択される、柔軟剤補助剤を含み得る。
【０１４３】
好適な市販の布地柔軟剤を用いることができ、例えば、ＤＯＷＮＹ（登録商標）及びＬＥＮＯＲ（登録商標）（いずれもＴｈｅ  Ｐｒｏｃｔｅｒ  ＆  Ｇａｍｂｌｅ  Ｃｏｍｐａｎｙから入手可能）、並びにＳＮＵＧＧＬＥ（登録商標）（Ｔｈｅ  Ｓｕｎ  Ｐｒｏｄｕｃｔｓ  Ｃｏｒｐｏｒａｔｉｏｎから入手可能）のブランド名で販売されているものを用いることができる。
【０１４４】
更に、本開示の洗剤及び柔軟剤組成物は、表面を手で処理／洗浄する周知の方法にも使用することができる。
【０１４５】
多成分布地処理系
いくつかの態様において、本開示は多成分布地処理系に関するものであり、この系は、本明細書に記載の洗剤組成物を含む第１の成分を含み、この系は更に、本明細書に記載の柔軟剤組成物を含む第２の成分を含む。
【０１４６】
いくつかの態様において、第１の成分は、洗剤組成物を収容する第１の容器を更に含む。いくつかの態様において、第２の成分は、柔軟剤組成物を収容する第２の容器を更に含む。第１及び第２の容器は、任意の好適なタイプであってよく、例えば、瓶、箱、パウチ、又は多区画パウチの区画であってよい。いくつかの態様において、パウチは水溶性であってよく、また、ポリビニルアルコール（ＰＶＡ）フィルムなどの水溶性フィルムを形成してもよい。好ましいフィルムは、商標名Ｍ８６３０、Ｍ８９００、Ｍ８７７９、Ｍ９４６７、Ｍ８３１０にてＭｏｎｏｓｏｌにより供給されているもの、米国特許第６  １６６  １１７号、同第６  ７８７  ５１２号、米国特許出願第２０１１／０１８８７８４号に記載されたフィルム、並びに相当する溶解度と変形特性であるＰＶＡフィルムである。更なる好ましいフィルムは、米国特許公開第２００６／０２１３８０１号、国際公開第２０１０／１１９０２２号、及び米国特許第６  ７８７  ５１２号に記述されているものである。
【０１４７】
いくつかの態様において、第１の成分と第２の成分は互いに近位にある。本明細書で使用するとき、「近位」は物理的に近くにあることを意味すると理解され、例えば、約１００センチメートル以下、又は約５０センチメートル以下、又は約１０センチメートル以下、又は約２センチメートル以下、又は０．１センチメートル以下（例えば、互いに接触しているか又はほぼ接触している）の距離で離間していると理解される。例えば、第１の成分と第２の成分とは、棚上又はディスプレイされているときに互いに近接していてもよく、配列を形成してもよい。いくつかの態様では、近位の第１及び第２の成分は、単一のパッケージ内（例えば、箱又はケースの中に）に収容される。いくつかの態様において、第１の成分と第２の成分は、単位化用量パウチの形態にそれぞれあり、これは、ケースなどの単一のパッケージ内に一緒に包装されてもよい。そのような場合、第１の成分パウチ及び第２の成分パウチは、好ましくは、消費者が２つのタイプのパウチを区別できるような、例えば異なる色又はラベルの指標を含む。
【０１４８】
いくつかの態様において、近位の第１及び第２の成分が連結される。例えば、第１及び第２の成分は、単一のパッケージ（例えば多室ボトル又は多区画パウチ）の別々の部分に収容されていてもよい。いくつかの態様では、第１及び第２の成分は多区画パウチ内に収容され、ここで洗剤組成物は第１の区画に収容され、柔軟剤組成物は第２の区画に収容される。この場合には、第１及び第２の区画は、溶解速度が異なっていてもよい。好ましくは、第１の区画は、第２の区画よりも速く溶解し、それによって、洗剤組成物が放出された後で、布地柔軟剤組成物が放出される。
【０１４９】
いくつかの態様において、第１及び第２の成分が取り外し可能に連結される。いくつかの態様において、いったん取り外された第１及び第２の成分は、再連結可能である。例えば、第１及び第２の成分は、共通の外側包装（例えばシュリンクラップ）により連結され得る。他の実施形態において、この系は、パウチ又は小袋の形態で、連結された第１及び第２の成分を含み、これらはベンダー又は消費者によって物理的に分離させることができる（例えばミシン目の線に沿って引き裂くことにより）。
【０１５０】
第１の成分と第２の成分とは、互いに相補的であってもよい。例えば、これらの成分は、色、形状、及び／又は図形に関して、同一、同様、又は関連していてよい。いくつかの態様において、第１の容器（又は第１の容器の表面）は、第２の容器（又は第２の容器の表面）に対して形状が補完的であってもよく、例えば、容器は、嵌合され、入れ子になり、又は隣接しているときに単一の物品としての視覚的印象を与え得る。
【０１５１】
組み合わせ
本開示の具体的に想到される組み合わせを、ここで以下のアルファベットを付した段落に記載する。これらの組み合わせは、説明を目的としたものであって、制限的であることを意図したものではない。
【０１５２】
Ａ．界面活性剤系と、封入体と、カチオン性付着補助ポリマーとを含む液体洗剤組成物であって、洗剤組成物は、洗剤組成物の約１０重量％〜約５０重量％の界面活性剤系を含み、界面活性剤系は、約１：１〜約４．５：１の重量比で存在するアニオン性界面活性剤と非イオン性界面活性剤とを含み、アニオン性界面活性剤は、約１：１〜約２０：１の重量比で、アニオン性サルフェート界面活性剤とアニオン性スルホネート界面活性剤とを含み、洗剤組成物は、洗剤組成物の約０．１重量％〜約５重量％の封入体を含み、封入体は、コアと、コアを少なくとも部分的に囲む壁とを含み、コアは、有益剤を含み、カチオン性付着補助ポリマーは、非多糖類ポリマーであり、かつ約５〜約２００キロダルトンの重量平均分子量により特徴付けられ、液体洗剤組成物は、任意で、０．３％以下のシリコーンを含む、液体洗剤組成物。
Ｂ．界面活性剤系が、約２：１〜約４．５：１、好ましくは約２：１〜約３：１の重量比で存在するアニオン性界面活性剤と非イオン性界面活性剤とを含む、段落Ａに記載の液体洗剤組成物。
Ｃ．アニオン性界面活性剤が、約１：１〜約１０：１、好ましくは約１：１〜約５：１、より好ましくは約２．５：１の重量比で存在するアニオン性サルフェート界面活性剤及びアニオン性スルホネート界面活性剤を含む、段落Ａ又はＢに記載の液体洗剤組成物。
Ｄ．洗剤組成物が、洗剤組成物の約０．０１重量％から、約２重量％まで、若しくは約１．５重量％まで、若しくは約１重量％まで、若しくは約０．７５重量％まで、若しくは約０．５重量％まで、若しくは約０．３重量％まで、又は約０．０５重量％〜約０．２５重量％のカチオン性付着補助ポリマーを含む、段落Ａ〜Ｃのいずれか１つに記載の液体洗剤組成物。
Ｅ．カチオン性付着補助ポリマーが、約１５〜約５０キロダルトン、又は約１８〜約３０キロダルトンの重量平均分子量により特徴付けられる、段落Ａ〜Ｄのいずれか１つに記載の液体洗剤組成物。
Ｆ．カチオン性付着補助ポリマーが、約３０ｍｏｌ％〜約１００ｍｏｌ％、又は約５０ｍｏｌ％〜約１００ｍｏｌ％、又は約５５ｍｏｌ％〜約９５ｍｏｌ％、又は約７０ｍｏｌ％〜約８５ｍｏｌ％のカチオン性構造単位を含む、段落Ａ〜Ｅのいずれか１つに記載の液体洗剤組成物。
Ｇ．カチオン性付着補助ポリマーが、第四級化Ｎ，Ｎ−ジアルキルアミノアルキルメタクリレート、第四級化Ｎ，Ｎ−ジアルキルアミノアルキルアクリレート、第四級化Ｎ，Ｎ−ジアルキルアミノアルキルアクリルアミド、第四級化Ｎ，Ｎ−ジアルキルアミノアルキルメタクリルアミド、メタクリル（methacyl）アミドアルキルトリアルキルアンモニウム塩、アクリルアミドアルキル（alkyll）トリアルキルアンモニウム（amminium）塩、ビニルアミン、ビニルイミン、ビニルイミダゾール、第四級化ビニルイミダゾール、ジアリルジアルキルアンモニウム塩、及びこれらの混合物からなる群から選択されるカチオン性モノマーから誘導されるカチオン性構造単位を含む、段落Ａ〜Ｆのいずれか１つに記載の液体洗剤組成物。
Ｈ．カチオン性モノマーが、ジアリルジメチルアンモニウム塩（ＤＡＤＭＡＳ）、第四級化Ｎ，Ｎ−ジメチルアミノエチルアクリレート、第四級化Ｎ，Ｎ−ジメチルアミノエチルメタクリレート（ＤＭＡＭ）、［２−（メタクリロイルアミノ）エチル］トリメチルアンモニウム塩、第四級化Ｎ，Ｎ−ジメチルアミノプロピルアクリルアミド（ＤＭＡＰＡ）、第四級化Ｎ，Ｎ−ジメチルアミノプロピルメタクリルアミド（ＤＭＡＰＭＡ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物からなる群から選択される、段落Ａ〜Ｇのいずれか１つに記載の液体洗剤組成物。
Ｉ．カチオン性モノマーが、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から選択される、段落Ａ〜Ｈのいずれか１つに記載の液体洗剤組成物。
Ｊ．カチオン性モノマーが、ＤＡＤＭＡＳ、ＡＰＴＡＳ、及び／又はＭＡＰＴＡＳの塩から選択され、塩は所望により塩化物を含む、段落Ａ〜Ｉのいずれか１つに記載の液体洗剤組成物。
Ｋ．カチオン性モノマーが、ジアリルジメチルアンモニウム塩、好ましくは塩化ジアリルジメチルアンモニウムを含む、段落Ａ〜Ｊのいずれか１つに記載の液体洗剤組成物。
Ｌ．カチオン性付着補助ポリマーが、非イオン性構造単位を含む、段落Ａ〜Ｋのいずれか１つに記載の液体洗剤組成物。
Ｍ．カチオン性ポリマーが、約５ｍｏｌ％〜約６０ｍｏｌ％、又は約１５ｍｏｌ％〜約４０ｍｏｌ％の非イオン性構造単位を含む、段落Ａ〜Ｌのいずれか１つに記載の液体洗剤組成物。
Ｎ．カチオン性ポリマーが、（メタ）アクリルアミド、ビニルホルムアミド、Ｎ，Ｎ−ジアルキルアクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリオールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及びこれらの混合物からなる群から選択されるモノマーから誘導される非イオン性構造単位を含む、段落Ａ〜Ｍのいずれか１つに記載の液体洗剤組成物。
Ｏ．非イオン性構造単位が、（メタ）アクリルアミドから誘導される、段落Ａ〜Ｎのいずれか１つに記載の液体洗剤組成物。
Ｐ．カチオン性ポリマーが、アクリルアミド／ＤＡＤＭＡＳ、アクリルアミド／ＤＡＤＭＡＳ／アクリル酸、アクリルアミド／ＡＰＴＡＳ、アクリルアミド／ＭＡＰＴＡＳ、アクリルアミド／ＱＶｉ、ポリビニルホルムアミド／ＤＡＤＭＡＳ、ポリ（ＤＡＤＭＡＳ）、アクリルアミド／ＭＡＰＴＡＳ／アクリル酸、アクリルアミド／ＡＰＴＡＳ／アクリル酸、及びこれらの混合物からなる群から選択される、段落Ａ〜Ｏのいずれか１つに記載の液体洗剤組成物。
Ｑ．カチオン性ポリマーが、アクリルアミド／ＤＡＤＭＡＳを含む、段落Ａ〜Ｐのいずれか１つに記載の液体洗剤組成物。
Ｒ．カチオン性付着補助ポリマーが、約２ｍｅｑ／ｇ〜約１２ｍｅｑ／ｇ、好ましくは約４．５ｍｅｑ／ｇ〜約７ｍｅｑ／ｇの算出カチオン電荷密度を有することを更に特徴とする、段落Ａ〜Ｑのいずれか１つに記載の液体洗剤組成物。
Ｓ．組成物が、約０．１％〜約１％の封入体を含む、段落Ａ〜Ｒのいずれか１つに記載の液体洗剤組成物。
Ｔ．有益剤が、香料原料を含む、段落Ａ〜Ｓのいずれか１つに記載の液体洗剤組成物。
Ｕ．封入体の壁が、壁の外側表面上にコーティングを含む、段落Ａ〜Ｔのいずれか１つに記載の液体洗剤組成物。
Ｖ．コーティングが、カチオン性効率ポリマーを含み、好ましくは、多糖類、カチオン変性デンプン、カチオン変性グアー、ポリシロキサン、ポリジアリルジメチルアンモニウムハライド、塩化ポリジアリルジメチルアンモニウムとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択されるカチオン性効率ポリマーを含み、カチオン性効率ポリマーは、カチオン性付着補助ポリマーとは異なる、段落Ａ〜Ｕのいずれか１つに記載の液体洗剤組成物。
Ｗ．コーティングが、ポリビニルアミン、ポリビニルホルムアミド、ポリアリルアミン、これらのコポリマー、及びこれらの混合物から選択されるカチオン性効率ポリマーを含み、好ましくはポリビニルホルムアミドを含み、カチオン性効率ポリマーは、カチオン性付着補助ポリマーとは異なる、段落Ａ〜Ｖのいずれか１つに記載の液体洗剤組成物。
Ｘ．壁が、アミノプラストコポリマー、アクリル、アクリレート、及びこれらの混合物からなる群から選択される壁材料を含む、段落Ａ〜Ｗのいずれか１つに記載の液体洗剤組成物。
Ｙ．壁材料が、アミノプラストコポリマーを含み、好ましくは、メラミンホルムアルデヒド、尿素ホルムアルデヒド、架橋メラミンホルムアルデヒド、又はこれらの混合物からなる群から選択されるアミノプラストコポリマーを含む、段落Ａ〜Ｘのいずれか１つに記載の液体洗剤組成物。
Ｚ．組成物が、外部構造化剤を更に含む、段落Ａ〜Ｙのいずれか１つに記載の液体洗剤組成物。
ＡＡ．組成物が、好ましくは組成物の約０．１重量％〜約４重量％の量で存在する、脂肪酸又はその塩を更に含む、段落Ａ〜Ｚのいずれか１つに記載の液体洗剤組成物。
ＢＢ．組成物が、酵素、増白剤、洗浄ポリマー、汚れ放出ポリマー、ポリエーテルアミン、アミン、色相染料、又はこれらの組み合わせから選択される添加剤を更に含む、段落Ａ〜ＡＡのいずれか１つに記載の液体洗剤組成物。
ＣＣ．組成物が酵素を含み、酵素がセルラーゼを含む、段落Ａ〜ＢＢのいずれか１つに記載の液体洗剤組成物。
ＤＤ．布地を処理する方法であって、方法が洗浄工程を含み、洗浄工程は、布地を、段落Ａ〜ＣＣのいずれか１つに記載の洗剤組成物と接触させる工程を含む、方法。
ＥＥ．布地を処理する方法が、柔軟化工程を更に含み、柔軟化工程は、布地を柔軟化組成物と接触させる工程を含む、段落ＤＤに記載の方法。
ＦＦ．界面活性剤系と、封入体と、カチオン性付着補助ポリマーとを含む液体洗剤組成物であって、洗剤組成物は、洗剤組成物の約１０重量％〜約３０重量％の界面活性剤系を含み、界面活性剤系は、約１：１〜約３．８：１の重量比で存在するアニオン性界面活性剤と非イオン性界面活性剤とを含み、洗剤組成物は、洗剤組成物の約０．１重量％〜約５重量％の封入体を含み、封入体は、コアと、コアを少なくとも部分的に囲む壁とを含み、コアは、有益剤を含み、カチオン性付着補助ポリマーは、非多糖類ポリマーであり、かつ約１５〜約５０キロダルトンの重量平均分子量により特徴付けられ、カチオン性付着補助ポリマーは、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、第四級化ビニルイミダゾール（ＱＶｉ）、及びこれらの混合物から選択されるカチオン性モノマーから誘導されるカチオン性構造単位を含み、カチオン性付着補助ポリマーは、（メタ）アクリルアミドから誘導される非イオン性構造単位を更に含み、カチオン性構造単位と非イオン性構造単位とは、約６０：４０〜約８５：１５のモル比でカチオン性付着補助ポリマー中に存在し、液体洗剤組成物は、任意で、０．３％以下のシリコーンを含む、液体洗剤組成物。
ＧＧ．カチオン性モノマーが、ジアリルジメチルアンモニウム塩（ＤＡＤＭＡＳ）、好ましくは塩化ジアリルジメチルアンモニウム（ＤＡＤＭＡＣ）である、段落Ａ〜ＦＦのいずれか１つに記載の液体洗剤組成物。
ＨＨ．カチオン性ポリマーが、約５５ｍｏｌ％〜約９５ｍｏｌ％、又は約６０ｍｏｌ％〜約９０ｍｏｌ％、又は約７０ｍｏｌ％〜約８５ｍｏｌ％のカチオン性構造単位を含む、段落Ａ〜ＧＧのいずれか１つに記載の液体洗剤組成物。
【０１５３】
試験方法
重量平均分子量の決定
本発明のポリマー材料の重量平均分子量（Ｍｗ）は、示差屈折率検出（ＲＩ）を用いたサイズ排除クロマトグラフィー（ＳＥＣ）により測定される。適切な器具の１つとして、Ａｇｉｌｅｎｔ（登録商標）ＧＰＣ／ＳＥＣソフトウェア、バージョン１．２（Ａｇｉｌｅｎｔ、Ｓａｎｔａ  Ｃｌａｒａ、ＵＳＡ）を使用したＡｇｉｌｅｎｔ（登録商標）ＧＰＣ−ＭＤＳシステムがある。互いに直列に直接連結された３つの親水性ヒドロキシル化ポリメチルメタクリレートゲルカラム（Ｗａｔｅｒｓ（Ｍｉｌｆｏｒｄ、ＵＳＡ）により製造されたＵｌｔｒａｈｙｄｒｏｇｅｌ  ２０００−２５０−１２０）、及び孔径０．２２μｍのＧＶＷＰ膜フィルター（ＭＩＬＬＩＰＯＲＥ（Ｍａｓｓａｃｈｕｓｅｔｔｓ、ＵＳＡ））を通して濾過した０．１Ｍ塩化ナトリウム及び０．３％トリフルオロ酢酸のＤＩ水溶液を用いてＳＥＣ分離を行う。ＲＩ検出器は、基準値のドリフトを防止するために、周囲温度よりも約５〜１０℃高い一定の温度に維持する必要がある。ＲＩ検出器を３５℃に設定する。ＳＥＣの注入体積は１００μＬとする。流速は０．８ｍＬ／分に設定する。試験ポリマー測定のための計算及び較正は、Ｐｏｌｙｍｅｒ  Ｓｔａｎｄａｒｄ  Ｓｅｒｖｉｃｅ（ＰＳＳ，Ｍａｉｎｚ  Ｇｅｒｍａｎｙ）から入手した、１０個セットの狭い分布のポリ（２−ビニルピリジン）標準に照らして実施され、このピーク分子量は、Ｍｐ＝１１１０ｇ／ｍｏｌ、Ｍｐ＝３１４０ｇ／ｍｏｌ、Ｍｐ＝４８１０ｇ／ｍｏｌ、Ｍｐ＝１１．５ｋｇ／ｍｏｌ、Ｍｐ＝２２ｋｇ／ｍｏｌ、Ｍｐ＝４２．８ｋｇ／ｍｏｌ、Ｍｐ＝１１８ｋｇ／ｍｏｌ、Ｍｐ＝２５６ｋｇ／ｍｏｌ、Ｍｐ＝４４６ｋｇ／ｍｏｌ、及びＭｐ＝１０６０ｋｇ／ｍｏｌである。
【０１５４】
各試験試料は、濃縮ポリマー溶液を上記の０．１Ｍ塩化ナトリウム及び０．３％トリフルオロ酢酸のＤＩ水溶液中に溶解して、１〜２ｍｇ／ｍＬのポリマー濃度を有する試験試料を得ることにより調製する。この試料溶液を１２時間静置して完全に溶解させた後、よく攪拌し、５ｍＬの注射器を用いて孔径０．４５μｍのナイロン膜（ＷＨＡＴＭＡＮ（ＵＫ）製）に通してオートサンプラーのバイアル中に濾過する。ポリマー標準物質の試料を同様にして調製する。各試験ポリマーについて２つの試料溶液を調製する。各溶液を１回測定する。２回の測定の結果の平均をとって試験ポリマーのＭｗを計算する。
【０１５５】
各測定で、バックグラウンドとして０．１Ｍ塩化ナトリウム及び０．３％トリフルオロ酢酸のＤＩ水溶液を最初にカラム上に注入する。補正試料（Ｍｐ＝１１１．３ｋ  ｇ／ｍｏｌ）の１ｍｇ／ｍＬポリエチレンオキシド溶液）を、他の試料の測定に先立って６回分析してシステムの再現性及び精度を確認する。
【０１５６】
試験試料ポリマーの重量平均分子量（Ｍｗ）を器具に付属するソフトウェアを用い、狭い標準較正モデリングに適したメニューオプションを選択することにより計算する。３次多項式曲線を用いて、ポリ（２−ビニルピリジン）標準物質から測定したデータポイントに較正曲線を当てはめる。重量平均分子量を計算するために使用するデータ領域は、ＲＩ検出器により検出されたシグナルの強さに基づいて選択する。ＲＩシグナルがそれぞれの基準値のノイズレベルの３倍よりも大きいデータ領域を選択し、Ｍｗの計算に含める。他のデータ領域は全て破棄し、Ｍｗの計算から除外する。較正範囲の外側にある領域では、較正曲線をＭｗの計算について外挿する。
【０１５７】
分子量の異なるポリマーの混合物を含有する試験試料の平均分子量を測定するために、選択されたデータ領域を多数の等間隔のスライスに分割する。選択された領域からの各スライスの高さすなわちＹの値は特定のポリマー（ｉ）の存在量（Ｎｉ）を表し、選択された領域からの各スライスのＸの値はその特定のポリマー（ｉ）の分子量（Ｍｉ）を表す。次いで、上記に述べた式、すなわち、Ｍｗ＝（Σｉ  Ｎｉ  Ｍｉ２）／（Σｉ  Ｎｉ  Ｍｉ）に基づいて、試験試料の重量平均分子量（Ｍｗ）を計算する。
【０１５８】
布地処理方法
ヘッドスペース封入の試験の前に、以下に記載の手順の１つに従って、布地を調製及び処理する。布地は典型的に、製造者によってなされているいかなる仕上げ剤を「脱糊」及び／又は「剥離」し（下記Ａを参照）、乾燥させてから、トップロード式洗濯機又はフロントロード式洗濯機のいずれか（以下、Ｂ１又はＢ２による）において、洗剤組成物で処理される。
【０１５９】
Ａ．布地の調製方法布地は、以下の方法のうちの１つ又は両方に従って調製することができる。
【０１６０】
Ａ１．布地の脱糊方法新しい布地は、トップロード式洗濯機（例えばＫｅｎｍｏｒｅ  ８０シリーズ）において、ゼログレーンの水を用い、４９℃（１２０°Ｆ）で２サイクル洗浄することにより、脱糊を行う。２回目のサイクルの後、全ての布地をＫｅｎｍｏｒｅシリーズの乾燥機において綿／高温設定で４５分間乾燥させる。
【０１６１】
Ａ２．布地の予備調整方法。脱糊した布地は、トップロード式洗濯機（例えばＫｅｎｍｏｒｅ  ８０シリーズ）において、１ガロン当たり６グレーンの水を用い、３２℃で、洗剤と液体布地柔軟剤を用いて、３サイクル洗浄することにより、予備調整を行う。洗浄サイクルの開始時に、洗濯機のドラムに水を充填してから、洗剤（Ｔｉｄｅ（登録商標）、５０ｇ）を加え、次に、脱糊した２．５ｋｇの綿１００％タオル（３０．５ｃｍ×３０．５ｃｍ、ＲＮ３７０００−ＩＴＬ、Ｃａｌｄｅｒｏｎ  Ｔｅｘｔｉｌｅｓ，ＬＬＣ（６１３１  Ｗ  ８０ｔｈ  Ｓｔ  Ｉｎｄｉａｎａｐｏｌｉｓ  ＩＮ  ４６２７８）から入手）を入れる。すすぎサイクル中に、すすぎ水が充填されたら、液体布地柔軟剤（Ｄｏｗｎｙ（登録商標）、２５．５ｇ）をドラムに加える。２回目のサイクルの後、全ての布地をＫｅｎｍｏｒｅシリーズの乾燥機において綿／高温設定で４５分間乾燥させる。
【０１６２】
Ｂ．布地の処理方法。布地は、以下の任意の方法のいずれかに従って処理することができる。
【０１６３】
Ｂ１．トップロード式洗濯機における洗剤による布地処理。脱糊した布地を、トップロード式Ｎａｔｉｏｎａｌ  ＮＡ−ＦＶ８１００洗濯機で標準洗浄設定を用いて、洗剤組成物での処理を行う。この洗濯機は、充填容量４９Ｌで、１２分間洗浄サイクル、すすぎサイクル２回、及び１〜３分間の脱水サイクルを使用する。洗浄及びすすぎサイクルには、２７℃（８１°）の水を使用する。洗浄及びすすぎサイクルには、１ガロン当たり６グレーンの水を使用する。洗浄サイクルの最初に水を充填した後、洗濯機ドラムに洗剤組成物（５２．５ｇ）を添加する。次に、２．９ｋｇの脱糊済み綿１００％タオル（３０．５ｃｍ×３０．５ｃｍ、ＲＮ３７０００−ＩＴＬ、Ｃａｌｄｅｒｏｎ  Ｔｅｘｔｉｌｅｓ，ＬＬＣ（６１３１  Ｗ  ８０ｔｈ  Ｓｔ  Ｉｎｄｉａｎａｐｏｌｉｓ  ＩＮ  ４６２７８）から入手）を、洗濯機のドラムに入れる。処理された布地を、一定の温度及び湿度（相対湿度５０％、２１℃（７０°Ｆ））の部屋で２２〜２６時間乾燥させる。
【０１６４】
Ｂ２．トップロード式洗濯機における洗剤及び布地柔軟剤による布地処理。脱糊した布地（Ａ１により調製）を、Ｂ１に記述されているように、トップロード式Ｎａｔｉｏｎａｌ  ＮＡ−ＦＶ８１００洗濯機で標準洗浄設定を用いて、洗剤組成物での処理を行い、洗濯機ディスペンサーを介して、液体布地柔軟剤を加える（Ｌｅｎｏｒ（登録商標）、２３ｇ）。処理された布地を、一定の温度及び湿度（相対湿度５０％、２１℃（７０°Ｆ））の部屋で２２〜２６時間乾燥させる。布地は、合計３サイクル洗浄及び乾燥される。
【０１６５】
Ｂ３．トップロード式洗濯機における洗剤による布地処理。脱糊され予備調整された布地（Ａ１及びＡ２に従って調製）を、トップロード式洗濯機（例えばＫｅｎｍｏｒｅ  ８０シリーズ）の洗浄サイクルに、洗剤組成物を入れることにより、洗剤組成物での処理を行う。洗剤組成物（５０ｇ）を、洗濯機のドラムに入れ、脱糊した２．５ｋｇの綿１００％タオル（３２ｃｍ×３２ｃｍ、例えばＲＮ３７００２ＬＬ、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）から入手）を洗濯機のドラムに入れる。脱糊した布地は、標準サイクルを用いて、１ガロン当たり６グレーンの水６４．４Ｌで、洗浄温度３２℃、すすぎ温度１６℃で、処理を行う。処理された布地を、標準の米国の衣類乾燥機（例えばＫｅｎｍｏｒｅシリーズの乾燥機）を使用して、綿／強の設定で４５分間乾燥させる。
【０１６６】
嗅覚性能方法
処理された布地の香りの強さを評価するために、本明細書に記載の嗅覚性能方法を使用することができる。簡単に言うと、訓練を受けた評価者パネルが処理された布地の香りを嗅ぐ。各パネリストには、布地処理方法による別の布地が与えられ、香りの強さを評価する。訓練を受けたパネルは、２０人の適格パネリストからなり、布地の香りの強さを評価する。これは、乾燥布地のにおい（ＤＦＯ）及び擦布のにおい（ＲＦＯ）の強度スコアを用い、０〜１００の尺度で評価するもので、スコア「０」は、布地ににおい又は香りがないことを意味し、スコア「５０」は、布地のにおい又は香りの強さが中程度であることを意味し、スコア「１００」は布地に強いにおい又は香り強度があることを意味する（すなわち、スコア１００は最も強いにおいを有する）。パネリストは、原液香料溶液の適切な強度を正しく検知し、処理された布地の強度傾向を正しく検知することで、適格となる。パネリストは、４回の評価のうち３回、０．５％、２％、及び５％の香料ジプロピレングリコール溶液で、香料溶液の強度の順序を正しくランク付けしなければならない。
【０１６７】
パネリストのスコアは、未処理布地を用いてベースライン（０スコア）としてアンカー付けられ、香りの強度スコアを表す香料アンカーは、低強度（１０〜３０）、中強度（４０〜７０）、及び高強度（８０〜１００）を表す。アンカーは、水／エタノール基剤（９５％／５％）における原液香料を用いて製造される。原液香料（１５ｇ）を、Ａｑｕａｓｏｌｖｅ（８５ｇ）と混合して香料を可溶化し、次に水／エタノール基剤に香料／Ａｑｕａｓｏｌｖｅ混合物を、低（香料０．０３％）、中（０．０９％）、及び高（０．２７％）の強度スケールレベルに相当する異なる濃度で添加する。アンカーレベル溶液は、パネル開始の１５分前に、綿棒又は濾紙ストリップに塗布される。パネリストは綿棒のにおいを嗅ぎ、パネルの強度スケールにアンカー付ける。
【０１６８】
処理された布地は、２１℃／相対湿度５０％で、評価前に最低１２時間、平衡化される。パネルは、２１℃／相対湿度５０％に制御された室内で行われ、試験布地は、評価前の３０分間、パネルルーム内で平衡化される。各パネリストが個々の処理された布地のにおいを嗅ぎ、ＤＦＯを記録する。同じ布地を６回擦り合わせ、パネリストが再びにおいを嗅ぎ、ＲＦＯを記録する。２０枚の異なる処理された布地のスコアが平均される。パネリストは異なる５つの処理サンプルのにおいを嗅ぎ、処理はパネリスト間で無作為化される。各パネルは、参照処理を含み、強度の差はこの参照と比較して行われる。ＤＦＯ及びＲＦＯの平均スコアが高いほど、布地のにおいがより強いことになる。
【０１６９】
泥汚れ除去方法
Ｂｌａｃｋ  ＴｏｄｄＣｌａｙ（Ａｃｃｕｒａｔｅ  Ｐｒｏｄｕｃｔ  Ｄｅｖｅｌｏｐｍｅｎｔ（Ｆａｉｒｆｉｅｌｄ，ＯＨ）から入手可能）及びＵＳ  Ｃｌａｙ（Ｅｍｐｉｒｉｃａｌ  Ｍａｎｕｆａｃｔｕｒｉｎｇ  Ｃｏｍｐａｎｙ（Ｃｉｎｃｉｎｎａｔｉ，ＯＨ）から入手可能）を含有するＣＷ１２０木綿の技術的汚れ見本が、トップロード式Ｋｅｎｍｏｒｅ  ８０シリーズ洗濯機の標準洗浄設定を使用して、本発明の洗剤組成物で処理される。洗濯機は、充填容量６４Ｌで、洗浄に３２℃（８１°Ｆ）の水、すすぎサイクルに１６℃の水を使用する。洗浄及びすすぎサイクルには、１ガロン当たり６グレーンの水を使用する。洗浄サイクルの最初に水を充填した後、洗濯機ドラムに洗剤組成物（４６．５ｇ）を添加する。次に、２枚のＣＷ１２０汚れ見本と、脱糊した布地バラスト２．９ｋｇをドラムに入れる。脱糊したバラストは、約５０重量％の綿１００％Ｔシャツ（Ｇｉｌｄａｎ  Ｔ−ｓｈｉｒｔｓ，ＴＣＳ  Ａｐｐａｒｅｌ）、２５重量％のポリエステル５０％／綿５０％の枕カバー（Ｓｔａｎｄａｒｄ  Ｔｅｘｔｉｌｅ  Ｃｏｍｐａｎｙ）、及び２５重量％の綿８６％／ポリエステル１４％のタオル（Ｓｔａｎｄａｒｄ  Ｔｅｘｔｉｌｅ  Ｃｏｍｐａｎｙ）からなる。合計８枚のＣＷ１２０の見本について、４つの異なる洗浄サイクルにおける２つの内部複製から、合計８枚の汚れ見本が平均される。処理された布地は、Ｋｅｎｍｏｒｅシリーズ乾燥機の綿／高温設定で乾燥させる。
【０１７０】
標準比色分析測定を使用して、洗浄前と後とのそれぞれの染みに対するＬ＊、ａ＊、及びｂ＊値を得た。Ｌ＊、ａ＊、ｂ＊値から、洗浄前の初期汚れレベルと洗浄後の汚れレベルとを比較し、汚れていない布地部分に対応する初期バックグラウンドにより、汚れレベルが計算された。
【０１７１】
見本からの染み除去は次のように測定された。
【０１７２】
【数２】
2019515085.tif 000008
ΔＥｉｎｉｔｉａｌ＝洗浄前の汚れレベル−汚れていない、未洗浄の布地部分
ΔＥｗａｓｈｅｄ＝洗浄後の汚れレベル−汚れていない、未洗浄の布地部分
【０１７３】
ＳＲＩ値は、８枚の複製からの平均ＳＲＩ値である。洗浄前の布地の染みレベル（ΔＥｉｎｉｔｉａｌ）は高いが、洗浄のプロセス中に染みが除去されて、洗浄後の染みレベル（ΔＥｗａｓｈｅｄ）は下がっている。染みがより良好に除去されればされるほど、ΔＥｗａｓｈｅｄの値がより小さくなり、ΔＥｉｎｉｔｉａｌとΔＥｗａｓｈｅｄとの間の差（ΔＥｉｎｉｔｉａｌ−ΔＥｗａｓｈｅｄ）がより大きくなる。したがって、染み除去指数の値は、洗浄のパフォーマンスがより良好であれ大きくなる。
【実施例】
【０１７４】
下記の非限定的な実施例が、本開示による組成物を説明する。
【０１７５】
実施例１−例示的な配合物と、香料効果に対する付着補助剤の選択の効果
Ａ．配合物液体洗剤組成物は、表１に示される比率で、記載される成分を混合することにより調製される。各組成物は、香料原料を含有した、コーティングされた封入体を含む。配合物１Ａ、１Ｂ、１Ｄ、及び１Ｅは、比較配合物である。
【０１７６】
【表１】
2019515085.tif 000009
１  ＢＡＳＦ（Ｌｕｄｗｉｇｓｈａｆｅｎ，Ｇｅｒｍａｎｙ）より入手可能
２  ＢＡＳＦ（Ｌｕｄｗｉｇｓｈａｆｅｎｍ，Ｇｅｒｍａｎｙ）より入手可能な、−ＮＨ当たり２０個のエトキシレート基を有する分子量６００ｇ／ｍｏｌのポリエチレンイミンコア
３  Ｅｌｅｍｅｎｔｉｓ  Ｓｐｅｃｉａｌｔｉｅｓ（Ｈｉｇｈｓｔｏｗｎ，ＮＪ）社よりＴｈｉｘｉｎＲの商品名で入手可能
４  Ｅｎｃａｐｓｙｓ（Ａｐｐｌｅｔｏｎ，ＷＩ）から入手可能な、アミノ樹脂香料アコードのポリ（ビニルホルムアミドコーティング）の封入体
５  カチオン性ヒドロキシエトキシル化セルロース、分子量＝約４００キロダルトン
６  アクリルアミド及びＤＡＤＭＡＣ構造単位を有するカチオン性コポリマー、モル百分率比約３０：７０、分子量＝約１９キロダルトン
７  Ｄｏｗ  Ｃｏｒｎｉｎｇ（Ｍｉｄｌａｎｄ，ＭＩ）から入手可能
【０１７７】
Ｂ．嗅覚評価布地（綿１００％タオル）が、上記Ｂ２の布地処理方法に従って、表１に示される、それぞれ配合物１Ａ、１Ｂ、１Ｃ、１Ｅ、及び１Ｆで調製及び処理された。次に、乾燥布地は、上記の嗅覚性能方法に従って分析された。その擦布におい（ＲＦＯ）の結果を表２に示す。
【０１７８】
【表２】
2019515085.tif 000010
１  カチオン性ヒドロキシエトキシル化セルロース分子量＝約４００キロダルトン
２  アクリルアミド及びＤＡＤＭＡＣ構造単位を有するカチオン性コポリマー、モル百分率比約３０：７０、分子量＝約１９キロダルトン
【０１７９】
配合物１Ｅ及び１Ｆの擦布においの比較の結果からわかるように、本開示によるカチオン性付着補助剤を含む組成物は、多糖類付着補助ポリマーを含む比較組成物と比較して、改善された香料効果を提供する。更に、配合物１Ｂ及び１Ｃの結果からわかるように、香料効果は、アニオン性界面活性剤と非イオン性界面活性剤の比を２．９：１にして、本開示のカチオン性付着補助剤と組み合わせることによって、更に改善され得る。
【０１８０】
実施例２−例示的な配合物と、粘土除去に対する付着補助剤の選択の効果
Ａ．配合物液体洗剤組成物は、表３に示される比率で、記載される成分を混合することにより調製される。各組成物は、香料原料を含有する、コーティングされた封入体を含む。配合物２Ｂ及び２Ｅは、比較配合物である。
【０１８１】
【表３】
2019515085.tif 000011
１  ＢＡＳＦ（Ｌｕｄｗｉｇｓｈａｆｅｎ，Ｇｅｒｍａｎｙ）より入手可能
２  ＢＡＳＦ（Ｌｕｄｗｉｇｓｈａｆｅｎｍ，Ｇｅｒｍａｎｙ）より入手可能な、−ＮＨ当たり２０個のエトキシレート基を有する分子量６００ｇ／ｍｏｌのポリエチレンイミンコア
３  Ｅｌｅｍｅｎｔｉｓ  Ｓｐｅｃｉａｌｔｉｅｓ（Ｈｉｇｈｓｔｏｗｎ，ＮＪ）社よりＴｈｉｘｉｎＲの商品名で入手可能
４  Ｅｎｃａｐｓｙｓ（Ａｐｐｌｅｔｏｎ，ＷＩ）から入手可能な、アミノ樹脂香料アコードのポリ（ビニルホルムアミドコーティング）の封入体
５  カチオン性ヒドロキシエトキシル化セルロース、分子量＝約４００キロダルトン
６  アクリルアミド及びＤＡＤＭＡＣ構造単位を有するカチオン性コポリマー、モル百分率比約３０：７０、分子量＝約１９キロダルトン
７  Ｄｏｗ  Ｃｏｒｎｉｎｇ（Ｍｉｄｌａｎｄ，ＭＩ）から入手可能
８  アクリルアミド及びＭＡＰＴＡＣ構造単位を有するカチオン性コポリマー、モル百分率比約８８：１２、分子量＝約１１００キロダルトン
【０１８２】
Ｂ．粘土除去分析。布地（綿１００％）が、表３に示される、それぞれ配合物２Ａ、２Ｂ、２Ｄ、及び２Ｅで、上記の泥汚れ除去方法に従い、処理された。布地は次に、上記に示される試験方法により、Ｂｌａｃｋ  Ｔｏｄｄ  Ｃｌａｙ汚れ除去の分析が行われた。この結果を表４及び５に示す。
【０１８３】
【表４】
2019515085.tif 000012
１  アクリルアミド及びＤＡＤＭＡＣ構造単位を有するカチオン性コポリマー、モル百分率比約３０：７０、分子量＝約１９キロダルトン
２  アクリルアミド及びＭＡＰＴＡＣ構造単位を有するカチオン性コポリマー、モル百分率比約８８：１２、分子量＝約１１００キロダルトン
【０１８４】
表４に示す結果からわかるように、本開示による組成物は、無ポリマー対照組成物と比較して、Ｂｌａｃｋ  Ｔｏｄｄ  Ｃｌａｙ汚れ除去について有意により良好な結果を提供する。更に、表４は、Ｂｌａｃｋ  Ｔｏｄｄ  Ｃｌａｙ汚れ除去に関して、比較組成物が、無ポリマー対照組成物に比較して、有意に悪い結果を示している。
【０１８５】
【表５】
2019515085.tif 000013
１  アクリルアミド及びＤＡＤＭＡＣ構造単位を有するカチオン性コポリマー、モル百分率比約３０：７０、分子量＝約１９キロダルトン
２  カチオン性ヒドロキシエトキシル化セルロース分子量＝約４００キロダルトン
【０１８６】
表５に示す結果からわかるように、本開示による組成物は、カチオン性多糖類を含む比較組成物に比べ、Ｂｌａｃｋ  Ｔｏｄｄ  Ｃｌａｙ汚れ除去について、有意により良好な結果を提供する。
【０１８７】
実施例３−例示的な配合物と、香料効果及び泥汚れ除去に対する付着補助剤の選択の効果
Ａ．配合物液体洗剤組成物は、表６に示される比率で、記載される成分を混合することにより調製される。各組成物は、香料原料を含有する、コーティングされた封入体を含む。配合物３Ａは比較配合物である。
【０１８８】
【表６】
2019515085.tif 000014
１  ＢＡＳＦ（Ｌｕｄｗｉｇｓｈａｆｅｎ，Ｇｅｒｍａｎｙ）より入手可能
２  ＢＡＳＦ（Ｌｕｄｗｉｇｓｈａｆｅｎｍ，Ｇｅｒｍａｎｙ）より入手可能な、−ＮＨ当たり２０個のエトキシレート基を有する分子量６００ｇ／ｍｏｌのポリエチレンイミンコア
３  Ｅｌｅｍｅｎｔｉｓ  Ｓｐｅｃｉａｌｔｉｅｓ（Ｈｉｇｈｓｔｏｗｎ，ＮＪ）社よりＴｈｉｘｉｎＲの商品名で入手可能
４  Ｅｎｃａｐｓｙｓ（Ａｐｐｌｅｔｏｎ，ＷＩ）から入手可能な、アミノ樹脂香料アコードのポリ（ビニルホルムアミドコーティング）の封入体
５  カチオン性ヒドロキシエトキシル化セルロース、分子量＝約４００キロダルトン
６  アクリルアミド及びＤＡＤＭＡＣ構造単位を有するカチオン性コポリマー、モル百分率比約３０：７０、分子量＝約１９キロダルトン
７  Ｄｏｗ  Ｃｏｒｎｉｎｇ（Ｍｉｄｌａｎｄ，ＭＩ）から入手可能
８  アクリルアミド及びＭＡＰＴＡＣ構造単位を有するカチオン性コポリマー、モル百分率比約８８：１２、分子量＝約１１００キロダルトン
９  −ＮＨ当たり２４個のエトキシレート基と−ＮＨ当たり１６個のプロポキシレート基とを有する、分子量６００ｇ／ｍｏｌのポリエチレンイミンコアＢＡＳＦ（Ｌｕｄｗｉｇｓｈａｆｅｎ，Ｇｅｒｍａｎｙ）より入手可能
【０１８９】
Ｂ．嗅覚評価布地（綿１００％タオル）が、上記Ｂ３の布地調製方法に従って、表７に示される、それぞれ配合物３Ａ、３Ｂ、及び３Ｃで調製及び処理された。乾燥布地は、上記の嗅覚性能方法に従って分析された。そのＲＦＯの結果を表７に示す。
【０１９０】
【表７】
2019515085.tif 000015
２  アクリルアミド及びＤＡＤＭＡＣ構造単位を有するカチオン性コポリマー、モル百分率比約３０：７０、分子量＝約１９キロダルトン
【０１９１】
配合物３Ｂ及び３Ｃの擦布においの比較の結果からわかるように、本開示による合成付着補助剤を含む組成物は、カチオン性付着補助ポリマーを含まない対照組成物と比較して、改善された香料効果を提供する。
【０１９２】
Ｃ．泥汚れ除去。下記の実施例において、布地（綿１００％）を配合物３Ｅで処理し、付着補助ポリマーを表８に示すように変化させた。布地は次に、上記に示される試験方法により、Ｂｌａｃｋ  Ｔｏｄｄ  Ｃｌａｙ汚れ除去の分析が行われた。この結果を表８に示す。
【０１９３】
【表８】
2019515085.tif 000016
１  アクリルアミド及びＤＡＤＭＡＣ構造単位を有するカチオン性コポリマー、モル百分率比約３０：７０、分子量＝約１９キロダルトン
２  アクリルアミド及びＭＡＰＴＡＣ構造単位を有するカチオン性コポリマー、モル百分率比約８８：１２、分子量＝約１１００キロダルトン
【０１９４】
表８に示すように、比較カチオン性ポリマーを含む比較組成物（３Ｅ−２）は、Ｂｌａｃｋ  Ｔｏｄｄ  Ｃｌａｙ汚れ除去に関して、本開示による低分子量カチオン性ポリマーを含む本開示による組成物に比べて、優位に悪い結果を示している。
【０１９５】
本明細書に開示した寸法及び値は、記載された正確な数値に厳密に限定されるものと理解されるべきではない。むしろ、特に指示がない限り、かかる各寸法は、記載された値及びその値の周辺の機能的に同等の範囲の両方を意味するものとする。例えば、「４０ｍｍ」として開示される寸法は、「約４０ｍｍ」を意味するものとする。
【０１９６】
相互参照される又は関連する全ての特許又は特許出願、及び本願がその優先権又は利益を主張する全ての特許出願又は特許を含む、本願に引用される文献はいずれも、明示的に除外又は別の方法で限定されない限りにおいて、その全体が本明細書に参照により組み込まれる。いかなる文献の引用も、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【０１９７】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019515085.tif 000017
【図２】
2019515085.tif 000018
【国際調査報告】
2019515085.tif 000019
2019515085.tif 000020
2019515085.tif 000021